(57)【要約】      （修正有）【課題】無線通信環境において閉ループ電力制御技法によって電力制御プリアンブルを利用するのを容易にするシステム及び方法を提供する。【解決手段】システム５００において、基地局２０２は、ダウンリンクにおいてアップリンク許可を転送し、アクセス端末３０２は、アップリンク許可に応答してアップリンクにおいて電力制御プリアンブルを送信する。電力制御プリアンブルは、開ループ電力制御機構を利用してアクセス端末によって決定された電力レベルで送信される。基地局は、電力制御プリアンブルを解析し、アクセス端末によって採用される電力レベルを訂正するための電力制御コマンドを、その解析に基づいて生成し、生成した電力制御コマンドをアクセス端末に転送する。アクセス端末は、その後、電力制御コマンドを利用して電力レベルをアップリンクデータ送信のために調整する。【選択図】図５
2018137768.tif 000002
【特許請求の範囲】
【請求項１】
無線通信環境において利用するために電力制御プリアンブルを生成するのを容易にする方法であって、
基地局からアップリンク許可を受信することであって、前記アップリンク許可は、アップリンク不活動後における第１のアップリンク許可であることと、
開ループ電力制御に基づく電力設定で前記基地局に電力制御プリアンブルを送信することと、
前記基地局から電力制御コマンドを受信することであって、前記電力制御コマンドは、前記電力設定を調整することと、
前記調整された電力設定で前記基地局にデータを送信すること、とを備える、方法。
【請求項２】
前記電力制御プリアンブルは、所定の送信時間間隔（ＴＴＩ）においてホップを採用することによってシステム帯域幅の一部又は全体においてチャネルをサウンディングするアップリンク送信である請求項１に記載の方法。
【請求項３】
前記電力制御プリアンブルは、単一時間サウンディング基準信号（ＳＲＳ）送信である請求項１に記載の方法。
【請求項４】
前記電力制御プリアンブルは、アップリンクデータチャネルにおける非周期的チャネル品質インジケータ（ＣＱＩ）報告である請求項１に記載の方法。
【請求項５】
前記電力制御プリアンブルの送信特性が明示で示される請求項１に記載の方法。
【請求項６】
前記アップリンク許可において明示で指定される資源、変調、又はコーディングのうちの少なくとも１つを利用して前記アップリンク許可に応答して前記電力制御プリアンブルを送信することと、
前記電力制御コマンドとともに前記基地局から第２のアップリンク許可を受信することと、
前記電力制御コマンドとともに受信された前記第２のアップリンク許可を利用することによって前記基地局に前記データを送信すること、とをさらに備える請求項５に記載の方法。
【請求項７】
前記電力制御プリアンブルの送信特性が暗黙に示される請求項１に記載の方法。
【請求項８】
予め決められた資源、予め決められた変調、又は予め決められたコーディングのうちの少なくとも１つを利用して前記アップリンク許可に応答して前記電力制御プリアンブルを送信することであって、前記予め決められた資源、前記予め決められた変調又は前記予め決められたコーディングのうちの前記少なくとも１つは、前記アップリンク許可の受信前にアクセス端末及び前記基地局に説明されることと、
前記電力制御コマンドの受信前に受信された前記アップリンク許可を利用することによって前記基地局に前記データを送信すること、とをさらに備える請求項７に記載の方法。
【請求項９】
前記データ送信に応答して電力制御コマンドを受信することをさらに備える請求項１に記載の方法。
【請求項１０】
無線通信装置であって、
基地局からアップリンク許可を入手することであって、前記アップリンク許可はアップリンク不活動後における第１のアップリンク許可であること、開ループ評価に基づいて電力制御プリアンブル送信に関する電力レベルを決定すること、前記電力レベルで前記基地局に電力制御プリアンブルを送信すること、前記基地局から電力制御コマンドを受信すること、前記電力制御コマンドに基づいて前記電力レベルを変更すること、及び前記電力制御コマンドに従って変更されている電力レベルで前記基地局にアップリンクデータ送信を送ることに関連する命令を保持するメモリと、
前記メモリに結合され、前記メモリ内に保持される前記命令を実行するように構成されたプロセッサと、を備える、無線通信装置。
【請求項１１】
前記電力制御プリアンブルは、所定の送信時間間隔（ＴＴＩ）においてホップを採用することによってシステム帯域幅の一部又は全体においてチャネルをサウンディングするアップリンク送信である請求項１０に記載の無線通信装置。
【請求項１２】
前記電力制御プリアンブルは、単一時間サウンディング基準信号（ＳＲＳ）送信である請求項１０に記載の無線通信装置。
【請求項１３】
前記電力制御プリアンブルは、アップリンクデータチャネルにおける非周期的チャネル品質インジケータ（ＣＱＩ）報告である請求項１０に記載の無線通信装置。
【請求項１４】
前記電力制御プリアンブルの送信特性が明示で示される請求項１０に記載の無線通信装置。
【請求項１５】
前記メモリは、前記アップリンク許可において明示で指定される情報を利用して前記アップリンク許可に応答して前記電力制御プリアンブルを送信すること、前記電力制御コマンドとともに前記基地局から第２のアップリンク許可を入手すること、及び前記電力制御コマンドと同時並行して入手された前記第２のアップリンク許可を利用することによって前記アップリンクデータ送信を送ることに関連する命令をさらに保持する請求項１４に記載の無線通信装置。
【請求項１６】
前記電力制御プリアンブルの送信特性が暗黙に示される請求項１０に記載の無線通信装置。
【請求項１７】
前記メモリは、前記アップリンク許可を入手する前にアクセス端末及び前記基地局に関して予め設定された予め決められた情報を利用して前記アップリンク許可に応答して前記電力制御プリアンブルを送信すること、及び前記電力制御コマンドを入手する前に受信された前記アップリンク許可を利用することによって前記アップリンクデータ送信を送ることに関連する命令をさらに保持する請求項１６に記載の無線通信装置。
【請求項１８】
前記メモリは、前記アップリンクデータ送信に応答して電力制御コマンドを入手することに関連する命令をさらに保持する請求項１０に記載の無線通信装置。
【請求項１９】
無線通信環境において電力制御プリアンブルを利用するのを可能にする無線通信装置であって、
アップリンク許可を入手するための手段であって、前記アップリンク許可はアップリンク不活動後における第１のアップリンク許可である手段と、
開ループ電力制御推定値の関数として選択された電力レベルでアップリンク電力制御プリアンブルを転送するための手段と、
前記電力レベルを変更する電力制御コマンドを入手するための手段と、
前記変更された電力レベルでアップリンクデータを送信するための手段と、を備える、無線通信装置。
【請求項２０】
前記アップリンク電力制御プリアンブルは、チャネルをサウンディングし及び所定の送信時間間隔（ＴＴＩ）においてホップを採用することによってシステム帯域幅の一部又は全体にわたるアップリンク送信である請求項１９に記載の無線通信装置。
【請求項２１】
前記アップリンク電力制御プリアンブルは、単一時間サウンディング基準信号（ＳＲＳ）送信である請求項１９に記載の無線通信装置。
【請求項２２】
前記アップリンク電力制御プリアンブルは、アップリンクデータチャネルにおける非周期的チャネル品質インジケータ（ＣＱＩ）報告である請求項１９に記載の無線通信装置。
【請求項２３】
前記アップリンク電力制御プリアンブルの転送が明示でスケジューリングされているときに前記アップリンク許可とともに明示で含められている情報を採用することによって前記アップリンク許可に応答して前記アップリンク電力制御プリアンブルを転送するための手段と、
前記電力制御コマンドと同時並行して第２のアップリンク許可を入手するための手段と、
前記電力制御コマンドと同時並行して入手された前記第２のアップリンク許可に応答して前記アップリンクデータを送信するための手段と、をさらに備える請求項１９に記載の無線通信装置。
【請求項２４】
前記アップリンク電力制御プリアンブルの転送が暗黙にスケジューリングされているときに前記アップリンク許可を入手する前にアクセス端末及び前記基地局によって推測的に知られている予め決められた情報を利用して前記アップリンク許可に応答して前記アップリンク電力制御プリアンブルを転送するための手段と、
前記電力制御コマンドを入手する前に受信された前記アップリンク許可を利用することによって前記アップリンクデータを送信するための手段と、をさらに備える請求項１９に記載の無線通信装置。
【請求項２５】
前記アップリンクデータ送信に応答して電力制御コマンドを入手するための手段をさらに備える請求項１９に記載の無線通信装置。
【請求項２６】
機械によって読み取り可能な媒体であって、
アップリンク許可を入手し、
開ループ電力制御推定値の関数として選択された電力レベルでアップリンク電力制御プリアンブルを転送し、
前記電力レベルを変更する電力制御コマンドを入手し、及び
前記変更された電力レベルでアップリンクデータを送信するための機械によって実行可能な命令であって、前記アップリンク許可は、アップリンク不活動後における第１のアップリンク許可である命令、を格納している、機械によって読み取り可能な媒体。
【請求項２７】
前記アップリンク電力制御プリアンブルは、チャネルをサウンディングし及び所定の送信時間間隔（ＴＴＩ）においてホップを採用することによってシステム帯域幅の一部又は全体にわたるアップリンク送信である請求項２６に記載の機械によって読み取り可能な媒体。
【請求項２８】
前記アップリンク電力制御プリアンブルは、単一時間サウンディング基準信号（ＳＲＳ）送信である請求項２６に記載の機械によって読み取り可能な媒体。
【請求項２９】
前記アップリンク電力制御プリアンブルは、アップリンクデータチャネルにおける非周期的チャネル品質インジケータ（ＣＱＩ）報告である請求項２６に記載の機械によって読み取り可能な媒体。
【請求項３０】
前記機械によって実行可能な命令は、前記アップリンク電力制御プリアンブルの転送が明示でスケジューリングされているときに前記アップリンク許可とともに明示で含められている情報を採用することによって前記アップリンク許可に応答して前記アップリンク電力制御プリアンブルを転送することと、前記電力制御コマンドと同時並行して第２のアップリンク許可を入手することと、前記電力制御コマンドと同時並行して入手された前記第２のアップリンク許可に応答して前記アップリンクデータを送信すること、とをさらに備える請求項２６に記載の機械によって読み取り可能な媒体。
【請求項３１】
前記機械によって実行可能な命令は、前記アップリンク電力制御プリアンブルの転送が暗黙にスケジューリングされているときに前記アップリンク許可を入手する前にアクセス端末及び前記基地局によって推測的に知られている予め決められた情報を利用して前記アップリンク許可に応答して前記アップリンク電力制御プリアンブルを転送することと、前記電力制御コマンドを入手する前に受信された前記アップリンク許可を利用することによって前記アップリンクデータを送信すること、とをさらに備える請求項２６に記載の機械によって読み取り可能な媒体。
【請求項３２】
前記機械によって実行可能な命令は、前記アップリンクデータ送信に応答して電力制御コマンドを入手することをさらに備える請求項２６に記載の機械によって読み取り可能な媒体。      
【請求項３３】
無線通信システムにおいて、
基地局からアップリンク許可を入手し、
開ループ評価に基づいて電力制御プリアンブル送信に関する電力レベルを決定し、
前記電力レベルで前記基地局に電力制御プリアンブルを送信し、
前記基地局から電力制御コマンドを受信し、
前記電力制御コマンドに基づいて前記電力レベルを変更し、及び
前記変更された電力レベルで前記基地局にアップリンクデータ送信を送るように構成されたプロセッサであって、前記アップリンク許可は、アップリンク不活動後における第１のアップリンク許可であるプロセッサ、を備える装置。
【請求項３４】
無線通信環境において電力制御とともに採用するために電力制御プリアンブルを評価するのを容易にする方法であって、
アクセス端末にアップリンク許可を送信することと、
開ループ電力制御に基づいて設定された電力レベルで前記アクセス端末から送信された電力制御プリアンブルを受信することと、
前記電力制御プリアンブルの解析に基づいて電力制御コマンドを生成することであって、前記電力制御コマンドは、前記アクセス端末の前記電力レベルを訂正することと、
前記電力制御コマンドを前記アクセス端末に送信することと、
前記訂正された電力レベルで前記アクセス端末から送られたアップリンクデータ送信を受信すること、とを備える、方法。
【請求項３５】
前記電力制御プリアンブルは、チャネルをサウンディングし及び所定の送信時間間隔（ＴＴＩ）においてホップを採用することによってシステム帯域幅の一部又は全体にわたるアップリンク送信である請求項３４に記載の方法。
【請求項３６】
前記電力制御プリアンブルは、単一時間サウンディング基準信号（ＳＲＳ）送信である請求項３４に記載の方法。
【請求項３７】
前記電力制御プリアンブルは、アップリンクデータチャネルにおける非周期的チャネル品質インジケータ（ＣＱＩ）報告である請求項３４に記載の方法。
【請求項３８】
前記アクセス端末からの前記電力制御プリアンブルの送信を明示でスケジューリングすることをさらに備える請求項３４に記載の方法。
【請求項３９】
前記電力制御プリアンブルを送信時に前記アクセス端末によって用いるために明示で指定された情報とともに前記アップリンク許可を送信することと、
前記電力制御コマンドと同時並行して第２のアップリンク許可を送信することと、
前記電力制御コマンドと同時並行して送信された前記第２のアップリンク許可に応答して送られた前記アップリンクデータ送信を受信すること、とをさらに備える請求項３８に記載の方法。
【請求項４０】
前記アクセス端末からの前記電力制御プリアンブルの送信を暗黙にスケジューリングすることをさらに備える請求項３４に記載の方法。
【請求項４１】
前記アップリンク許可の送信前に前記アクセス端末及び基地局に関して定義された予め決められた情報を利用して前記アップリンク許可に応答して前記アクセス端末から送信された前記電力制御プリアンブルを受信することと、
前記電力制御コマンドの送信前に送信された前記アップリンク許可を利用することによって前記アクセス端末から送られた前記アップリンクデータ送信を受信すること、とをさらに備える請求項４０に記載の方法。
【請求項４２】
トリガー条件の発生時に前記アップリンクデータ送信に応答して電力制御コマンドを送信することをさらに備える請求項３４に記載の方法。
【請求項４３】
無線通信装置であって、
アップリンク許可を転送すること、開ループ電力機構によって決定された電力レベルでアップリンクを介して送信された電力制御プリアンブルを入手すること、前記電力制御プリアンブルの評価に基づいて前記電力レベルを訂正する電力制御コマンドを生成すること、ダウンリンクを介して前記電力制御コマンドを送信すること、及び前記訂正された電力レベルで送られたアップリンクデータ送信を入手することに関連する命令を保持するメモリと、
前記メモリに結合され、前記メモリ内に保持される前記命令を実行するように構成されたプロセッサと、を備える、無線通信装置。
【請求項４４】
前記電力制御プリアンブルは、チャネルをサウンディングし及び所定の送信時間間隔（ＴＴＩ）においてホップを採用することによってシステム帯域幅の一部又は全体にわたるアップリンク送信である請求項４３に記載の無線通信装置。
【請求項４５】
前記電力制御プリアンブルは、単一時間サウンディング基準信号（ＳＲＳ）送信である請求項４３に記載の無線通信装置。
【請求項４６】
前記電力制御プリアンブルは、アップリンクデータチャネルにおける非周期的チャネル品質インジケータ（ＣＱＩ）報告である請求項４３に記載の無線通信装置。
【請求項４７】
前記メモリは、前記電力制御プリアンブルの送信を明示でスケジューリングすることに関連する命令をさらに保持する請求項４３に記載の無線通信装置。
【請求項４８】
前記メモリは、前記電力制御プリアンブルを送信時にアクセス端末によって用いるために明示で指定された情報とともに前記アップリンク許可を転送すること、前記ダウンリンクを介して前記電力制御コマンドと同時並行して第２のアップリンク許可を送信すること、及び前記電力制御コマンドと同時並行して送信された前記第２のアップリンク許可に応答して送られた前記アップリンクデータ送信を入手することに関連する命令をさらに保持する請求項４７に記載の無線通信装置。
【請求項４９】
前記メモリは、前記電力制御プリアンブルの送信を暗黙にスケジューリングすることに関連する命令をさらに保持する請求項４３に記載の無線通信装置。
【請求項５０】
前記メモリは、前記アップリンク許可の転送前にアクセス端末及び基地局に関して定義された予め決められた情報を利用して前記アップリンク許可に応答して送信された前記電力制御プリアンブルを入手すること、及び前記電力制御コマンドの送信前に転送された前記アップリンク許可を利用することによって送られた前記アップリンクデータ送信を入手することに関連する命令をさらに保持する請求項４９に記載の無線通信装置。
【請求項５１】
前記メモリは、トリガー条件の発生時に前記アップリンクデータ送信に応答して電力制御コマンドを転送することに関連する命令をさらに保持する請求項４３に記載の無線通信装置。
【請求項５２】
無線通信環境においてアクセス端末によって利用するために電力制御プリアンブルに基づいて電力制御コマンドを生成するのを可能にする無線通信装置であって、
ダウンリンクにおいてアップリンク許可を送信するための手段と、
開ループ推定値から決定された電力レベルで送信された電力制御プリアンブルを入手するための手段と、
前記電力レベルを訂正する電力制御コマンドを送信するための手段と、
前記訂正された電力レベルでアップリンクデータ送信を入手するための手段と、を備える、無線通信装置。
【請求項５３】
前記電力制御プリアンブルは、チャネルをサウンディングし及び所定の送信時間間隔（ＴＴＩ）においてホップを採用することによってシステム帯域幅全体の一部にわたるアップリンク送信である請求項５２に記載の無線通信装置。
【請求項５４】
前記電力制御プリアンブルは、単一時間サウンディング基準信号（ＳＲＳ）送信である請求項５２に記載の無線通信装置。
【請求項５５】
前記電力制御プリアンブルは、アップリンクデータチャネルにおける非周期的チャネル品質インジケータ（ＣＱＩ）報告である請求項５２に記載の無線通信装置。
【請求項５６】
前記電力制御プリアンブルの送信を明示でスケジューリングするための手段と、
前記電力制御プリアンブルを送信時にアクセス端末によって利用するために明示で指定された情報とともに前記アップリンク許可を送信するための手段と、
前記ダウンリンクを介して前記電力制御コマンドと同時並行して第２のアップリンク許可を送信するための手段と、    
前記第２のアップリンク許可に応答して送られた前記アップリンクデータ送信を入手するための手段と、をさらに備える請求項５２に記載の無線通信装置。
【請求項５７】
前記電力制御プリアンブルの送信を暗黙にスケジューリングするための手段と、
前記アップリンク許可を送信する前にアクセス端末及び基地局に関して説明された予め決められた情報を利用して前記アップリンク許可に応答して送信された前記電力制御プリアンブルを入手するための手段と、
前記電力制御コマンドの送信前に転送された前記アップリンク許可を利用することによって送られた前記アップリンクデータ送信を入手するための手段と、をさらに備える請求項５２に記載の無線通信装置。
【請求項５８】
トリガー条件の発生時に前記アップリンクデータ送信に応答して電力制御コマンドを転送するための手段をさらに備える請求項５２に記載の無線通信装置。
【請求項５９】
機械によって読み取り可能な媒体であって、
ダウンリンクにおいてアップリンク許可を送信し、
開ループ推定値から決定された電力レベルで送信された電力制御プリアンブルを入手し、
前記電力レベルを訂正する電力制御コマンドを送信し、及び
前記訂正された電力レベルでアップリンクデータ送信を入手するための機械によって実行可能な命令を格納している、機械によって読み取り可能な媒体。
【請求項６０】
前記電力制御プリアンブルは、チャネルをサウンディングし及び所定の送信時間間隔（ＴＴＩ）においてホップを採用することによってシステム帯域幅の一部又は全体にわたるアップリンク送信である請求項５９に記載の機械によって読み取り可能な媒体。
【請求項６１】
前記電力制御プリアンブルは、単一時間サウンディング基準信号（ＳＲＳ）送信である請求項５９に記載の機械によって読み取り可能な媒体。
【請求項６２】
前記電力制御プリアンブルは、アップリンクデータチャネルにおける非周期的チャネル品質インジケータ（ＣＱＩ）報告である請求項５９に記載の機械によって読み取り可能な媒体。
【請求項６３】
前記機械によって実行可能な命令は、前記電力制御プリアンブルの送信を明示でスケジューリングすることと、前記電力制御プリアンブルを送信時にアクセス端末によって利用するために明示で指定された情報とともに前記アップリンク許可を送信することと、前記ダウンリンクを介して前記電力制御コマンドと同時並行して第２のアップリンク許可を送信することと、前記第２のアップリンク許可に応答して送られた前記アップリンクデータ送信を入手すること、とをさらに備える請求項５９に記載の機械によって読み取り可能な媒体。
【請求項６４】
前記機械によって実行可能な命令は、前記電力制御プリアンブルの送信を暗黙にスケジューリングすることと、前記アップリンク許可を送信する前にアクセス端末及び基地局に関して説明された予め決められた情報を利用して前記アップリンク許可に応答して送信された前記電力制御プリアンブルを入手することと、前記電力制御コマンドの送信前に転送された前記アップリンク許可を利用することによって送られた前記アップリンクデータ送信を入手すること、とをさらに備える請求項５９に記載の機械によって読み取り可能な媒体。
【請求項６５】
トリガー条件の発生時に前記アップリンクデータ送信に応答して電力制御コマンドを転送することをさらに備える請求項５９に記載の機械によって読み取り可能な媒体。
【請求項６６】
無線通信システムにおいて、
アクセス端末にアップリンク許可を送信し、
開ループ電力制御に基づいて設定された電力レベルで前記アクセス端末から送信された電力制御プリアンブルを受信し、
前記電力制御プリアンブルの解析に基づいて電力制御コマンドを生成し、  
前記電力制御コマンドを前記アクセス端末に送信し、及び
前記訂正された電力レベルで前記アクセス端末から送られたアップリンクデータ送信を受信するように構成されたプロセッサであって、前記電力制御コマンドは、前記アクセス端末の前記電力レベルを訂正するプロセッサ、を備える装置。
【発明の詳細な説明】
【技術分野】
【０００１】
関連出願の相互参照
本出願は、“A METHOD AND APPARATUS FOR POWER CONTROL USING A POWER CONTROL PREAMBLE”（電力制御プリアンブルを用いた電力制御のための方法及び装置）という題名を有する米国仮特許出願一連番号６０／８８９，９３１（出願日：２００７年２月１４日）の利益を主張するものである。上記の出願の全体が、参照されることによってここに組み入れられている、
以下の説明は、一般的には、無線通信に関するものである。以下の説明は、より具体的には、ロング・ターム・エボリューション（ＬＴＥ（登録商標））に基づく無線通信システムにおいてアクセス端末によって採用されるアップリンク（ＵＬ）電力レベルを制御することに関するものである。
【背景技術】
【０００２】
様々なタイプの通信を提供することを目的として無線通信システムが広範囲にわたって配備されており、例えば、該無線通信システムを介して音声及び／又はデータを提供することができる。典型的無線通信システム、又はネットワークは、１つ以上の共有資源（例えば、帯域幅、送信電力、等）へのアクセス権を複数のユーザーに提供することができる。例えば、システムは、様々な多元接続技法、例えば、周波数分割多重（ＦＤＭ）、時分割多重（ＴＤＭ）、符号分割多重（ＣＤＭ）、直交周波数分割多重（ＯＦＤＭ）、単搬送波周波数分割多重（ＳＣ−ＦＤＭ）、等を用いることができる。さらに、システムは、第３世代パートナーシッププロジェクト（３ＧＰＰ（登録商標））、３ＧＰＰロング・ターム・エボリューション（ＬＴＥ）、等の仕様に準拠することができる。
【０００３】
一般的には、無線多元接続通信システムは、複数のアクセス端末に関する通信を同時にサポートすることができる。各アクセス端末は、順方向リンク及び逆方向リンクにおける送信を介して１つ以上の基地局と通信することができる。順方向リンク（又はダウンリンク）は、基地局からアクセス端末への通信リンクを意味し、逆方向リンク（又はアップリンク）は、アクセス端末から基地局への通信リンクを意味する。この通信リンクは、単入力単出力（ＳＩＳＯ）、多入力単出力（ＭＩＳＯ）、単入力多出力（ＳＩＭＯ）又は多入力多出力（ＭＩＭＯ）システムを介して確立することができる。
【０００４】
無線通信システムは、１つ以上の基地局及びカバレッジエリアを提供するセクターをしばしば採用する。典型的セクターは、ブロードキャスト、マルチキャスト及び／又はユニキャストサービスに関する複数のデータストリームを送信することができ、データストリームは、アクセス端末が各々独立して受信することができるデータの流れであることができる。該セクターのカバレッジエリア内のアクセス端末は、１つのデータストリーム、２つ以上のデータストリーム、又は複合されたストリームによって搬送される全データストリームを受信するアクセス端末を採用することができる。同様に、アクセス端末は、基地局又は他のアクセス端末にデータを送信することができる。数多くのアクセス端末が近隣において信号データを送信中である状況においては、アップリンクでの通信のために異なるデータレート及び送信帯域幅において十分な信号対雑音比（ＳＮＲ）を生み出すような電力制御が重要である。上記の目標を達成する一方でこれらのアクセス端末への電力調整の送信によって被るオーバーヘッドを可能な限り低く維持することが望ましい。電力制御調整をサポートしてオーバーヘッドを低下させることは、あらゆる状況において、特にＵＬにおけるデータの不活動期間が長い状況において、適切な受信信頼度レベルを保証することを困難にする。
【発明の概要】
【０００５】
以下は、１つ以上の実施形態についての基本的な理解を可能にすることを目的としてこれらの実施形態の単純化された概要を示すものである。この概要は、すべての企図される実施形態を広範囲にわたって概説したものではなく、さらに全実施形態の主要な又は極めて重要な要素を識別すること及びいずれかの又はすべての実施形態の適用範囲を詳細に説明することのいずれも意図されていない。以下の説明の唯一の目的は、後述される発明を実施するための形態の準備段階として１つ以上の実施形態の幾つかの概念を単純な形で提示することである。
【０００６】
１つ以上の実施形態及び対応するその開示により、無線通信環境において非周期的閉ループ電力制御技法を用いて電力制御プリアンブルの利用を容易にすることに関係させて様々な側面が説明される。アップリンク許可は、ダウンリンクにおいて転送することができ（例えば、アップリンク不活動後における第１のアップリンク許可）、電力制御プリアンブルは、前記アップリンク許可に応答してアップリンクで送信することができる。一例により、前記電力制御プリアンブルの送信は、明示でスケジューリングすること及び／又は暗黙にスケジューリングすることができる。前記電力制御プリアンブルは、開ループ電力制御機構を利用してアクセス端末によって決定された電力レベルで送信することができる。基地局は、前記電力制御プリアンブルを解析すること及び前記アクセス端末によって採用された前記電力レベルを訂正するための電力制御コマンドを前記解析に基づいて生成することができる。前記アクセス端末は、その後、前記電力制御コマンドを利用してアップリンクデータ送信に関して前記電力レベルを調整することができる。
【０００７】
関連する側面により、無線通信環境において利用するために電力制御プリアンブルを生成するのを容易にする方法がここにおいて説明される。前記方法は、アップリンク許可を基地局から受信することを含むことができ、前記アップリンク許可は、アップリンク不活動後における第１のアップリンク許可である。さらに、前記方法は、開ループ電力制御に基づいた電力設定で前記基地局に電力制御プリアンブルを送信することを備えることができる。さらに、前記方法は、電力制御コマンドを前記基地局から受信することを含むことができ、前記電力制御コマンドは、前記電力設定を調整する。前記方法は、前記調整された電力設定で前記基地局にデータを送信することを含むこともできる。
【０００８】
他の側面は、無線通信装置に関連する。前記無線通信装置は、アップリンク許可を基地局から受信することであって、前記アップリンク許可はアップリンク不活動後における第１のアップリンク許可であること、開ループ評価に基づいて電力制御プリアンブル送信に関する電力レベルを決定すること、前記電力レベルで前記基地局に電力制御プリアンブルを送信すること、前記基地局から電力制御コマンドを受信すること、前記電力制御コマンドに基づいて前記電力レベルを変更すること、及び前記電力制御コマンドに従って変更されている電力レベルでアップリンクデータ送信を前記基地局に送ることに関連する命令を保持するメモリを含むことができる。さらに、前記無線通信装置は、前記メモリに結合されて前記メモリ内に保持される前記命令を実行するように構成されたプロセッサを含むことができる。
【０００９】
さらに他の側面は、無線通信環境において電力制御プリアンブルを利用するのを可能にする無線通信装置に関連する。前記無線通信装置は、アップリンク許可を入手するための手段を含むことができ、前記アップリンク許可は、アップリンク不活動後における第１のアップリンク許可である。さらに、前記無線通信装置は、開ループ電力制御推定値の関数として選択された電力レベルでアップリンク電力制御プリアンブルを転送するための手段を含むことができる。さらに、前記無線通信装置は、前記電力レベルを変更する電力制御コマンドを入手するための手段を備えることができる。さらに、前記無線通信装置は、前記変更された電力レベルでアップリンクデータを送信するための手段を含むことができる。
【００１０】
さらに他の側面は、アップリンク許可を入手し、開ループ電力制御推定値の関数として選択された電力レベルでアップリンク電力制御プリアンブルを転送し、前記電力レベルを変更する電力レベルコマンドを入手し、及び前記変更された電力レベルでアップリンクデータを送信するための機械によって実行可能な命令であって、前記アップリンク許可はアップリンク不活動後における第１のアップリンク許可である命令、を格納している機械によって読み取り可能な媒体に関連する。
【００１１】
他の側面により、無線通信システムにおける装置は、プロセッサを含むことができ、前記プロセッサは、基地局からアップリンク許可を入手するように構成することができ、前記アップリンク許可は、アップリンク不活動後における第１のアップリンク許可である。さらに、前記プロセッサは、開ループ評価に基づいて電力制御プリアンブル送信のための電力レベルを決定するように構成することができる。前記プロセッサは、前記電力レベルで前記基地局に電力制御プリアンブルを送信するように構成することもできる。さらに、前記プロセッサは、前記基地局から電力制御コマンドを受信するように構成することができる。さらに、前記プロセッサは、前記電力制御コマンドに基づいて前記電力レベルを変更するように構成することができる。さらに、前記プロセッサは、前記変更された電力レベルで前記基地局にアップリンクデータ送信を送るように構成することができる。
【００１２】
その他の側面により、無線通信環境において電力制御とともに採用するために電力制御プリアンブルを評価するのを容易にする方法がここにおいて説明される。前記方法は、アップリンク許可をアクセス端末に送信することを含むことができる。さらに、前記方法は、開ループ電力制御に基づいて設定された電力レベルで前記アクセス端末から送信された電力制御プリアンブルを受信することを含むことができる。さらに、前記方法は、前記電力制御プリアンブルの解析に基づいて電力制御コマンドを生成することを備えることができ、前記電力制御コマンドは、前記アクセス端末の前記電力レベルを訂正する。前記方法は、前記電力制御コマンドを前記アクセス端末に送信することも含むことができる。さらに、前記方法は、前記訂正された電力レベルで前記アクセス端末から送られたアップリンクデータ送信を受信することを含むことができる。
【００１３】
さらに他の側面は、アップリンク許可を転送すること、開ループ電力制御機構によって決定された電力レベルでアップリンクを介して送信された電力制御プリアンブルを入手すること、前記電力制御プリアンブルの評価に基づいて前記電力レベルを訂正する電力制御コマンドを生成すること、ダウンリンクを介して前記電力制御コマンドを送信すること、及び前記訂正された電力レベルで送られたアップリンクデータ送信を入手することに関連する命令を保持するメモリを含むことができる。さらに、前記無線通信装置は、前記メモリに結合されて前記メモリ内に保持される前記命令を実行するように構成されたプロセッサを備えることができる。
【００１４】
他の側面は、無線通信環境においてアクセス端末による利用のために電力制御プリアンブルに基づいて電力制御コマンドを生成するのを可能にする無線通信装置に関連する。前記無線通信装置は、ダウンリンクにおいてアップリンク許可を送信するための手段を含むことができる。さらに、前記無線通信装置は、開ループ推定値から決定された電力レベルで送信された電力制御プリアンブルを入手するための手段を含むことができる。前記無線通信装置は、前記電力レベルを訂正する電力制御コマンドを送信するための手段をさらに備えることができる。さらに、前記無線通信装置は、前記訂正された電力レベルでアップリンク送信を入手するための手段を含むことができる
さらに他の側面は、ダウンリンクにおいてアップリンク許可を送信し、開ループ推定値から決定された電力レベルで送信された電力制御プリアンブルを入手し、前記電力レベルを訂正する電力制御コマンドを送信し、及び前記訂正された電力レベルでアップリンクデータ送信を入手するための機械によって実行可能な命令を格納している機械によって読み取り可能な媒体に関連する。
【００１５】
他の側面により、無線通信システムにおける装置は、プロセッサを含むことができ、前記プロセッサは、アップリンク許可をアクセス端末に送信するように構成することができる。前記プロセッサは、開ループ電力制御に基づいて設定された電力レベルで前記アクセス端末から送信された電力制御プリアンブルを受信するように構成することもできる。さらに、前記プロセッサは、前記電力制御プリアンブルの解析に基づいて電力制御コマンドを生成するように構成することができ、前記電力制御コマンドは、前記アクセス端末の前記電力レベルを訂正する。さらに、前記プロセッサは、前記アクセス端末に前記電力制御コマンドを送信するように構成することができる。さらに、前記プロセッサは、前記訂正された電力レベルで前記アクセス端末から送られたアップリンクデータ送信を受信するように構成することができる。
【００１６】
上記の目的及び関連する目的を完遂させるために、前記１つ以上の前記実施形態は、以下において十分に説明され、請求項において特に強調される特徴を備える。以下の説明及び添付図面は、前記１つ以上の実施形態の一定の例示的側面を詳述するものである。しかしながら、これらの側面は、様々な実施形態の原理を採用することができる様々な方法のうちのほんのわずかを示しており、前記説明される実施形態は、これらのすべての側面及びその同等の側面を含むことが意図されている。
【図面の簡単な説明】
【００１７】
【図１】ここにおいて説明される様々な側面による無線通信システムの図である。
【図２】ＬＴＥに基づく無線通信環境においてアクセス端末によって採用されたアップリンク電力レベルを制御するシステム例を示した図である。
【図３】アクセス端末によって採用されたアップリンク電力レベルを周期的に訂正するシステム例を示した図である。
【図４】ＬＴＥに基づく無線通信環境において電力制御コマンドを非周期的にアクセス端末に転送するシステム例を示した図である。
【図５】ＬＴＥに基づく無線通信環境においてプリアンブルに基づくアップリンク電力制御を採用するシステム例を示した図である。
【図６】ダウンリンクにおいて電力制御コマンドを送信するためにアクセス端末をグループ分けするシステム例を示した図である。
【図７】アクセス端末グループに電力制御コマンドを通信するための送信構造例を示した図である。
【図８】ＬＴＥに関する周期的アップリンク電力制御手順に関するタイミング図例を示した図である。
【図９】ＬＴＥに関する非周期的アップリンク電力制御手順に関するタイミング図例を示した図である。
【図１０】電力制御プリアンブルを利用するＬＴＥに関するアップリンク電力制御手順に関するタイミング図例を示した図である。
【図１１】ロング・ターム・エボリューション（ＬＴＥ）に基づく無線通信環境において電力制御とともに利用するために電力制御プリアンブルを生成するのを容易にする方法例を示した図である。
【図１２】ロング・ターム・エボリューション（ＬＴＥ）に基づく無線通信環境において電力制御とともに採用するために電力制御プリアンブルを評価するのを容易にする方法例を示した図である。
【図１３】ＬＴＥに基づく無線通信環境において電力制御とともに電力制御プリアンブルを利用するのを容易にするアクセス端末例を示した図である。
【図１４】ＬＴＥに基づく無線通信環境において電力制御とともに用いるために電力制御プリアンブルを解析するのを容易にするシステム例を示した図である。
【図１５】ここにおいて説明される様々なシステム及び方法と関係させて採用することができる無線ネットワーク環境例を示した図である。
【図１６】無線通信環境におけるアクセス端末による利用のために電力制御プリアンブルに基づいて電力制御コマンドを生成するのを可能にするシステム例を示した図である。
【図１７】無線通信環境において電力制御プリアンブルを利用するのを可能にするシステム例を示した図である。
【発明を実施するための形態】
【００１８】
次に、図面を参照して様々な実施形態が説明され、同一のものについては全図面に渡って同一の参照数字を付すこととする。以下では、説明の目的上、１つ以上の実施形態について徹底的に理解できるようにするために数多くの具体的な詳細が示される。しかしながら、該実施形態は、これらの具体的な詳細なしで実践できることが明確であろう。その他の事例においては、１つ以上の実施形態に関する説明を容易にするためによく知られた構造及びデバイスがブロック図形で示される。
【００１９】
本出願において用いられる「構成要素」、「モジュール」、「システム」、等の用語は、ハードウェア、ファームウェア、ハードウェアとソフトウェアの組み合わせ、ソフトウェア、実行中のソフトウェアのいずれであるかにかかわらず、コンピュータに関連するエンティティを指すことが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。一例として、計算デバイスにおいて実行中のアプリケーション及びその計算デバイスの両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。さらに、これらの構成要素は、様々なデータ構造が格納されている様々なコンピュータによって読み取り可能な媒体から実行可能である。これらの構成要素は、ローカル及び／又は遠隔プロセスによって、例えば１つ以上のデータパケット（例えば、ローカルシステム又は分散型システム内の他の構成要素と、及び／又はインターネット等のネットワークを通じて信号を用いてその他のシステムと対話中の構成要素からのデータ）を有する信号に従って通信することができる。
【００２０】
さらに、ここにおいては、様々な実施形態がアクセス端末と関係させて説明される。アクセス端末は、システム、加入者ユニット、加入者局、移動局、モバイル、遠隔局、遠隔端末、モバイルデバイス、ユーザー端末、端末、無線通信デバイス、ユーザーエージェント、ユーザーデバイス、又はユーザー装置（ＵＥ）と呼ぶことも可能である。アクセス端末は、携帯電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は無線モデムに接続されたその他の処理デバイスであることができる。さらに、ここにおいては様々な実施形態が基地局と関係させて説明される。基地局は、アクセス端末と通信するために利用することができ、アクセスポイント、ノードＢ、ｅＮｏｄｅＢ（ｅＮＢ）、又はその他の用語で呼ぶことも可能である。
【００２１】
さらに、ここにおいて説明される様々な側面又は特徴は、標準的なプログラミング及び／又はエンジニアリング技法を用いて製造方法、製造装置、又は製造品として実装することができる。ここにおいて用いられる“製造品”という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、ＥＰＲＯＭ、カード、スティック、キードライブ）と、を含むことができるが、これらに限定されない。さらに、ここにおいて説明される様々な記憶媒体は、情報を格納するための１つ以上のデバイス及び／又はその他の機械によって読み取り可能な媒体を表すことができる。“機械によって読み取り可能な媒体”という表現は、限定されることなしに、無線チャネル及び命令及び／又はデータを格納、内蔵、及び／又は搬送することができるその他の様々な媒体を含むことができる。
【００２２】
今度は図１に関して、ここにおいて提示される様々な実施形態による無線通信システム１００が示される。システム１００は、複数のアンテナグループを含むことができる基地局１０２を備える。例えば、１つのアンテナグループは、アンテナ１０４と１０６とを含むことができ、他のグループは、アンテナ１０８と１１０とを含むことができ、追加のグループは、アンテナ１１２と１１４とを含むことができる。各アンテナグループに関して２本のアンテナが示される。しかしながら、各グループに関してそれより多い又は少ないアンテナを利用することができる。当業者によって明確に理解されるように、基地局１０２は、送信機チェーンと受信機チェーンとをさらに含むことができ、これらの各々は、信号の送信及び受信と関連する複数の構成要素（例えば、プロセッサ、変調器、マルチプレクサ、復調器、デマルチプレクサ、アンテナ、等）を備えることができる。
【００２３】
基地局１０２の対応するセクターは、１つ以上のアクセス端末、例えばアクセス端末１１６及びアクセス端末１２２、と通信することができる。しかしながら、基地局１０２は、アクセス端末１１６及び１２２に類似する実質上あらゆる数のアクセス端末と通信できることが明確に理解されるべきである。アクセス端末１１６及び１２２は、例えば、携帯電話、スマートフォン、ラップトップコンピュータ、ハンドヘルド通信デバイス、ハンドヘルド計算デバイス、衛星無線、全地球測位システム、ＰＤＡ、及び／又は無線通信システム１００を通じて通信するためのその他の適切なデバイスであることができる。描かれるように、アクセス端末１１６は、アンテナ１１２及び１１４と通信し、アンテナ１１２及び１１４は、順方向リンク１１８を通じてアクセス端末１１６に情報を送信し、逆方向リンク１２０を通じてアクセス端末１１６から情報を受信する。さらに、アクセス端末１２２は、アンテナ１０４及び１０６と通信し、アンテナ１０４及び１０６は、順方向リンク１２４を通じてアクセス端末１２２に情報を送信し、逆方向リンク１２６を通じてアクセス端末１２２から情報を受信する。周波数分割複信（ＦＤＤ）システムにおいては、順方向リンク１１８は、逆方向リンク１２０によって用いられるのとは異なる周波数帯域を利用することができ、順方向リンク１２４は、例えば逆方向リンク１２６によって採用されるのとは異なる周波数帯域を採用することができる。さらに、時分割複信（ＴＤＤ）システムにおいては、順方向リンク１１８及び逆方向リンク１２０は、共通の周波数帯域を利用することができ、順方向リンク１２４及び逆方向リンク１２６は、共通の周波数帯域を利用することができる。
【００２４】
各アンテナグループ及び／又はこれらのアンテナが通信するように指定されているエリアは、基地局１０２のセクター、又はｅＮＢのセルと呼ぶことができる。例えば、アンテナグループは、基地局１０２によって網羅されたエリアのセクター内のアクセス端末に通信するように設計することができる。順方向リンク１１８及び１２４における通信においては、基地局１０２の送信アンテナは、アクセス端末１１６及び１２２に関する順方向リンク１１８及び１２４の信号対雑音比を向上させるためにビーム形成を利用することができる。さらに、基地局１０２は、関連するカバレッジ全体にわたって無作為に散在するアクセス端末１１６及び１２２に送信するためにビーム形成を利用する一方で、近隣セル内のアクセス端末は、単一のアンテナを通じて全アクセス端末に送信する基地局と比較してより少ない干渉を受けるようになることができる。
【００２５】
システム１００は、例えばロング・ターム・エボリューション（ＬＴＥ）に基づくシステムであることができる。該システム１００においては、基地局１０２の対応するセクターは、アクセス端末１１６及び１２２によって利用されるアップリンク電力レベルを制御することができる。従って、システム１００は、経路損失及びシャドーイングの補償（例えば、経路損失及びシャドーイングは経時でゆっくり変化することができる）及び（例えば、システム１００は、周波数再使用１を利用するＬＴＥに基づくシステムであることができるため）隣接セルからの時間とともに変化する干渉の補償を生み出すアップリンク（ＵＬ）電力制御を提供することができる。さらに、システム１００は、（例えば、ユーザーは共通帯域内において多重化できるため）ユーザー間での基地局１０２において得られる受信電力の大きな変動を軽減することができる。さらに、システム１００は、マルチパスフェージング変動を十分に低速で補償することができる。例えば、異なる搬送波周波数における３ｋｍ／時に関するチャネルのコヒーレンス時間は、次の通りであることができる。すなわち、９００ＭＨｚの搬送波周波数は、４００ｍｓのコヒーレンス時間を有することができ、２ＧＨｚの搬送波周波数は、１８０ｍｓのコヒーレンス時間を有することができ、３ＧＨｚの搬送波周波数は、１２０ｍｓのコヒーレンス時間を有することができる。従って、調整のレーテンシー及び周期性に依存して、高速フェージング効果を低いドップラー周波数によって補正することができる。
【００２６】
システム１００は、開ループ及び閉ループ電力制御機構を結合したアップリンク電力制御を採用することができる。一例により、開ループ電力制御は、ランダムアクセスチャネル（ＲＡＣＨ）通信の第１のプリアンブルの電力レベルを設定するために各アクセス端末１１６、１２２によって利用することができる。ＲＡＣＨの第１のプリアンブルに関して、各アクセス端末１１６、１２２は、基地局１０２からのダウンリンク（ＤＬ）通信を入手していることができ、開ループ機構は、各アクセス端末１１６、１２２が入手されたダウンリンク通信に関連する受信電力レベルに反比例するアップリンク送信電力レベルを選択するのを可能にすることができる。従って、ダウンリンクの知識は、アップリンク送信のためにアクセス端末１１６、１２２によって利用することができる。開ループ機構は、瞬間的な電力調整によって（例えば受信電力フィルタリングに依存する）無線状態の急激な変化に対する超高速適応化を可能にすることができる。さらに、開ループ機構は、しばしば採用される従来の技法とは対照的に、ＲＡＣＨ処理を越えて動作し続けることができる。閉ループ機構は、ランダムアクセス手順が成功した時点でシステム１００によって利用することができる。例えば、周期的アップリンク資源がアクセス端末１１６、１２２に対して割り当てられているときには閉ループ技法を採用することができる（例えば、周期的アップリンク資源は、物理アップリンク制御チャネル（ＰＵＣＣＨ）又はサウンディング基準信号（ＳＲＳ）資源であることができる）。さらに、基地局１０２（及び／又はネットワーク）内の対応するセクターは、閉ループ制御に基づいてアクセス端末１１６、１２２によって利用されるアップリンク送信電力を制御することができる。
【００２７】
システム１００によって採用される閉ループ機構は、周期的、非周期的又はこれらの２つの組み合わせであることができる。基地局１０２における対応するセクターによってアクセス端末１１６、１２２に対して周期的に（例えば、０．５ｍｓ、１ｍｓ、２ｍｓ、４ｍｓ、．．．ごとに１回）周期的閉ループ訂正を送信することができる。例えば、この周期性は、アップリンク送信の周期性に依存することができる。さらに、周期的訂正は、単一ビット訂正（例えば、増/減、±１ｄＢ、．．．）及び／又は多ビット訂正（例えば、±１ｄＢ、±２ｄＢ、±３ｄＢ、±４ｄＢ、．．．）であることができる。従って、電力制御ステップ及び訂正の周期性は、基地局１０２（及び／又はネットワーク）における対応するセクターが制御することができるアップリンク電力の最大変化率を決定することができる。他の例により、必要に応じて基地局１０２内の対応するセクターから対応するアクセス端末１１６、１２２に非周期的訂正を送信することができる。この例に従い、これらの訂正は、ネットワーク測定（例えば、受信（ＲＸ）電力が設定されたマージン外にある、所定のアクセス端末に制御情報を送信する機会、．．．）によってトリガーされたときに非周期的に送信することができる。さらに、非周期的訂正は、単一ビット及び／又は多ビットであることができる（例えば、非周期的訂正と関連づけられたオーバーヘッドの有意な部分は、訂正規模ではなく訂正スケジューリングに関連することができるため、これらの訂正は多ビットであることができる）。さらに他の例により、非周期的訂正は、これらの電力調整の送信に伴って被るオーバーヘッドを最低にするために周期的訂正に加えて基地局１０２内の対応するセクターによってアクセス１１６、１２２に送信することができる。
【００２８】
次に図２に関して、ＬＴＥに基づく無線通信環境においてアクセス端末によって採用されるアップリンク電力レベルを制御するシステム２００が示される。システム２００は、実質的にあらゆる数のアクセス端末（示されていない）と通信することができる基地局２０２内のセクターを含む。さらに、基地局２０２内のセクターは、アクセス端末から入手されたアップリンク信号と関連づけられた電力レベルを評価する受信電力モニタ２０４を含むことができる。さらに、基地局２０２内のセクターは、解析された電力レベルを利用してアクセス端末電力レベルを変更するためのコマンドを生成するアップリンク（ＵＬ）電力調整器２０６を備えることができる。
【００２９】
基地局２０２とアクセス端末との間における通信に関して様々な物理（ＰＨＹ）チャネル２０８を利用することができ、これらの物理チャネル２０８は、ダウンリンク物理チャネルと、アップリンク物理チャネルとを含むことができる。ダウンリンク物理チャネルの例は、物理ダウンリンク制御チャネル（ＰＤＣＣＨ）と、物理ダウンリンク共有チャネル（ＰＤＳＣＨ）と、共通電力制御チャネル（ＣＰＣＣＨ）と、を含む。ＰＤＣＣＨは、約３０乃至６０ビットの容量を有し及び巡回冗長性検査（ＣＲＣ）保護された（例えば、ＤＬ又はＵＬ送信のためのＰＨＹ層資源を割り当てる）ＤＬ層１／層２（Ｌ１／Ｌ２）制御チャネルである。ＰＤＣＣＨは、アップリンク許可及びダウンリンク割り当てを搬送することができる。ＰＤＳＣＨは、ＤＬ共有データチャネルであり、ＰＤＳＣＨは、異なるユーザー間で共有されるＤＬデータチャネルであることができる。ＣＰＣＣＨは、複数のアクセス端末を制御するＵＬ電力に関してＤＬにおいて送信される。ＣＰＣＣＨにおいて送信される訂正は、単一ビット又は多ビットであることができる。さらに、ＣＰＣＣＨは、ＰＤＣＣＨの特定のインスタンス化であることができる。アップリンク物理チャネルの例は、物理アップリンク制御チャネル（ＰＵＣＣＨ）と、物理アップリンク共有チャネル（ＰＵＳＣＨ）と、サウンディング基準信号（ＳＲＳ）と、ランダムアクセスチャネル（ＲＡＣＨ）と、を含む。ＰＵＣＣＨは、チャネル品質インジケータ（ＣＱＩ）チャネルと、ＡＣＫチャネルと、ＵＬ要求と、を含む。ＰＵＳＣＨは、ＵＬ共有データチャネルである。ＳＲＳは、情報を欠くことができ及びＵＬにおけるチャネルのサウンディング（ｓｏｕｎｄｉｎｇ）がシステム帯域幅の一部又は全体においてサンプリングされるべきチャネルを考慮するのを可能にすることができる。請求される主題は、これらの物理チャネル例２０８に限定されないことが明確に理解されるべきである。
【００３０】
受信電力モニタ２０４及びＵＬ電力調整器２０６は、アクセス端末によって実行されるアップリンク送信に関する閉ループ電力制御を提供することができる。ＬＴＥシステムにおける動作は、システム２００の帯域幅全体よりも大幅に小さいことができる帯域幅での所定の時間における送信を含むことができる。各アクセス端末は、所定の時間においてシステム２００の帯域幅全体の小さい一部分で送信することができる。さらに、周波数ホッピングをアクセス端末によって採用することができ、従って、基地局２０２内の対応するセクターは、アクセス端末のアップリンク電力レベルに対して行う調整の評価を試みるときに困難に出くわす可能性がある。従って、受信電力モニタ２０４及びＵＬ電力調整器２０６によって提供される適切な閉ループ電力制御機構は、可能なことに複数のインスタントを通じての及び可能なことに複数のＵＬ  ＰＨＹチャネルにおける送信から広帯域受信電力推定値を構築し、それにより、アクセス端末送信帯域幅にかかわらず経路損失及びシャドーイングの影響をあらゆる時間において適切に訂正することを可能にする。
【００３１】
受信電力モニタ２０４は、様々な方法でのアクセス端末送信に基づいてチャネルのサンプリングから広帯域受信電力推定値を構築する。例えば、受信電力モニタ２０４は、ＰＵＳＣＨをサンプリングのために採用することができる。この例に従うと、ＰＵＳＣＨの送信帯域は、所定のスロットにおいてローカル化される。周波数ダイバース（ｄｉｖｅｒｓｅ）スケジューリングは、周波数ダイバーシティを十分に利用するためにスロット境界において及び可能なことに再送信を通じて疑似ランダムホッピングパターンを送信帯域に適用することができる。周波数選択式スケジューリングを利用するＰＵＳＣＨ送信は、送信データに対しては周波数ホッピングパターンを適用せず従ってすべての（又はほとんどの）周波数においてチャネルをサンプリングするために長時間を要することがある。さらに、周波数選択式スケジューリングは、ＳＲＳ又はＰＵＣＣＨの送信を利用することができる。周波数選択式スケジューリングは、チャネルの選択性を利用するスケジューリング戦略である。例えば、周波数選択式スケジューリングは、最良の副帯域に送信を制限するのを試みる。このスケジューリング戦略は、移動性が小さいアクセス端末に関して適切であることができる。さらに、これらの送信は、通常は、周波数ホッピング技法は用いない。周波数ダイバーススケジューリングは、周波数ダイバーシティを自然な形で得るためにシステム帯域幅全体を採用する（例えば、最低送信帯域幅能力を法とする）異種のスケジューリング戦略である。周波数ダイバーススケジューリングに関連づけられた送信は、周波数ホッピングと関連づけることができる。さらに、周波数ホッピングは、チャネル及び干渉の観点から周波数ダイバーシティを利用するために疑似ランダム方式で波形の送信周波数を変化させることを含むことができる。
【００３２】
他の例により、受信電力モニタ２０４は、ＵＬチャネルをサンプリングするために、従って広帯域受信電力推定値を構築するためにＰＵＣＣＨを利用することができる。ＰＵＣＣＨの送信帯域も、所定のスロットにおいてローカル化することができ、各送信時間間隔（ＴＴＩ）においてスロット境界でホッピングすることができる。占有される帯域は、特定のＴＴＩにおいてＰＵＳＣＨ送信が存在するかどうかに依存することができる。ＰＵＳＣＨが所定のＴＴＩにわたって送信されるときには、ＰＵＣＣＨを通じて送信される制御情報は、ＰＵＳＣＨにおいて（例えば、ＵＬ波形の単一搬送波プロパティを保持するために）データ送信の残りの部分とインバンド（ｉｎ−ｂａｎｄ）で送信することができる。ＰＵＳＣＨが特定のＴＴＩにおいて送信されないときには、ＰＵＣＣＨは、システム帯域の縁においてＰＵＣＣＨ送信用に保留されているローカル化帯域において送信することができる。
【００３３】
他の例により、ＳＲＳ送信は、チャネルをサンプリングし及び広帯域受信電力推定値を構築するために受信電力モニタ２０４によって利用することができる。ＳＲＳの（経時における）送信帯域は、システム帯域全体（又は最低アクセス端末送信帯域幅能力）と実質的に等しくすることができる。所定のＳＣ−ＦＤＭＡシンボルにおいて（例えば、ＳＣ−ＦＤＭＡシンボルは、ＬＴＥのＵＬにおける最小送信単位である）、送信は、ローカル化させる（例えば、経時でホップする一組の連続する副搬送波にわたる）又は分散させる（例えば、システム帯域全体又はその一部分にわたり、ホップするときとしないときがある）ことができる。
【００３４】
受信電力モニタ２０４は、システム帯域幅全体におけるチャネルのサンプリングから広帯域受信電力推定値を構築する。しかしながら、チャネルがどのようにサンプリングされるか及び／又は周波数ホッピングが送信に適用されるかどうかに依存して、受信電力モニタ２０４によって受信されたＵＬチャネルのサンプリングから広帯域受信電力推定値を構築する時間間隔は変動する可能性がある。
【００３５】
ＰＵＣＣＨ送信は、ＵＬデータが存在しないときには、システム帯域の縁において行われる。ＰＵＣＣＨ送信は、ＵＬデータが存在する場合は、ＰＵＳＣＨにおいてデータ送信とインバンドで配置することができる。さらに、ＰＵＳＣＨ送信は、ＵＬ周波数選択式スケジューリングを利用するために送信周波数を変化させることができず及びホッピングしていることがまったくできない。しかしながら、周波数選択式スケジューリングを可能にするため、ＦＤＤ／ＴＤＤシステムに関してＳＲＳ送信を利用することができる。さらに、ＰＵＳＣＨが周波数ダイバーススケジューリングを使用時には、送信に対して周波数ホッピングが適用される。
【００３６】
さらに、受信電力モニタ２０４によって実行されるチャネルサンプリングに基づき、ＵＬ電力調整器２０６は、特定のアクセス端末によって採用されたＵＬ電力レベルを変更することができるコマンドを生成することができる。このコマンドは、単一ビット訂正（例えば、増/減、±１ｄＢ、．．．）及び／又は多ビット訂正（例えば、±１ｄＢ、±２ｄＢ、±３ｄＢ、±４ｄＢ、．．．）であることができる。さらに、ＵＬ電力調整器２０６（及び／又は対応する基地局２０２内のセクター）は、生成されたコマンドを意図されているアクセス端末に送信することができる。
【００３７】
さらに、アクセス端末は、各々、所定の時間における特定の状態と関連づけることができる。アクセス端末状態の例は、ＬＴＥ＿ＩＤＬＥと、ＬＴＥ＿ＡＣＴＩＶＥと、ＬＴＥ＿ＡＣＴＩＶＥ＿ＣＰＣと、を含む。しかしながら、請求される主題は、これらの状態例に限定されないことが明確に理解されるべきである。
【００３８】
ＬＴＥ＿ＩＤＬＥは、アクセス端末が一意のセルＩＤを有さないアクセス端末状態である。ＬＴＥ＿ＩＤＬＥ状態にある間は、アクセス端末は、基地局２０２への接続がないことができる。さらに、ＬＴＥ＿ＩＤＬＥからＬＴＥ＿ＡＣＴＩＶＥ状態への移行は、ＲＡＣＨの利用を介して実行することができる。
【００３９】
ＬＴＥ＿ＡＣＴＩＶＥは、アクセス端末が一意のセルＩＤを有するアクセス端末状態である。さらに、ＬＴＥ＿ＡＣＴＩＶＥ状態にあるときには、アクセス端末は、アップリンク及び／又はダウンリンクを介してアクティブにデータを転送することができる。この状態にあるアクセス端末は、ＵＬ専用資源（例えば、周期的に送信されるＣＱＩ、ＳＲＳ）を有する。一例により、ＬＴＥ＿ＡＣＴＩＶＥ状態にあるアクセス端末は、約２０ｍｓ又は４０ｍｓよりもはるかに長くなることが予想されないサイクルを有する不連続送信／不連続受信（ＤＴＸ／ＤＲＸ）手順を採用することができる。この状態にあるアクセス端末は、ＤＬ活動に応答して直接（例えば、可能なことにＤＬデータとインバンドのＵＬ許可によって又はＰＤＣＣＨを通じて）又はＰＵＣＣＨを通じてＵＬ要求を送信することによってＰＵＳＣＨ送信を開始する。さらに、この状態にあるユーザーは、ＵＬ／ＤＬデータのアクティブな交換が行われるアクセス端末又は高いサービスグレード（ＧｏＳ）のアプリケーション（例えば、ボイスオーバーインターネットプロトコル（ＶｏＩＰ）、．．．）を実行するアクセス端末であることができる。
【００４０】
ＬＴＥ＿ＡＣＴＩＶＥ＿ＣＰＣ（連続的パケット接続性）は、アクセス端末が自己の一意のセルＩＤを保持するがＵＬ専用資源がリリースされているＬＴＥ＿ＡＣＴＩＶＥの副状態である。ＬＴＥ＿ＡＣＴＩＶＥ＿ＣＰＣの利用は、電池寿命を延ばすのを可能にする。この副状態にあるアクセス端末は、ＤＬ活動に応答して（例えば、可能なことにＤＬデータとインバンドのＵＬ許可によって又はＰＤＣＣＨを通じて）又はＲＡＣＨにおいてＵＬ要求を送信することによって送信を開始する。初期送信電力は、開ループ機構（例えば、ＤＬ活動に対する応答）又は最後の成功したプリアンブル（例えば、ＲＡＣＨ）に基づくことができる。
【００４１】
図３に関して、アクセス端末によって採用されたアップリンク電力レベルを周期的に訂正するシステム３００が示される。システム３００は、アクセス端末３０２（及び／又はあらゆる数の異種のアクセス端末（示されていない））と通信する基地局２０２を含む。アクセス端末３０２は、ＵＬ電力マネージャ３０４を備え、ＵＬ電力マネージャ３０４は、ＵＬ電力初期設定器３０６をさらに含む。さらに、アクセス端末３０２は、ＵＬ周期的送信機３０８を含む。基地局２０２は、受信電力モニタ２０４と、ＵＬ電力調整器２０６と、をさらに含み、受信電力モニタ２０４は、周期的訂正器３１０をさらに備える。
【００４２】
周期的訂正器３１０は、アクセス端末３０２に転送されるべき周期的電力制御コマンド（例えば、周期的送信電力制御（ＴＰＣ）コマンド、周期的訂正、等）を生成する。さらに、周期的訂正器３１０は、あらゆる周期性（例えば、０．５ｍｓ、１ｍｓ、２ｍｓ、４ｍｓ、等）を有するアクセス端末３０２（及び／又はあらゆる異種アクセス端末）に対して周期的電力制御コマンドを送信することができる。しかしながら、ＵＬ電力調整器２０６及び／又は基地局２０２は、該周期的電力制御コマンドを送信できることが企図されている。さらに、周期的訂正器３１０は、単一ビット訂正（例えば、増／減、±１ｄＢ）及び／又は多ビット訂正（例えば、±１ｄＢ、±２ｄＢ、±３ｄＢ、±４ｄＢ、等）を生成することができる。例えば、周期的訂正がより高い周波数で周期的訂正器３１０から送信される場合は、単一ビット訂正が採用される可能性がより高くなり、逆も真である。
【００４３】
ＵＬ電力マネージャ３０４は、アップリンク送信のためにアクセス端末３０２によって採用されたアップリンク電力レベルを制御する。ＵＬ電力マネージャ３０４は、周期的電力制御コマンドを基地局２０２から受信すること及び入手されたコマンドに基づいて送信のために利用されるアップリンク電力レベルを変更することができる。他の例により、ＵＬ電力初期設定器３０６は、初期アップリンク送信電力を設定することができる。ＵＬ電力初期設定器３０６は、例えばダウンリンク活動に基づいて初期アップリンク送信電力を決定するための開ループ機構を採用することができる。さらに加えて又は代替として、ＵＬ電力初期設定器３０６は、以前の（例えば、直前の）成功であったプリアンブル（例えば、ＲＡＣＨ）と関連づけられた電力レベルに初期アップリンク電力レベルを割り当てることができる。
【００４４】
ＵＬ周期的送信機３０８は、アップリンクにおいて基地局２０２に周期的送信を送ることができる。例えば、ＵＬ周期的送信機３０８は、アクセス端末３０２がＬＴＥ＿ＡＣＴＩＶＥ状態にある間に動作することができる。さらに、ＵＬ周期的送信機３０８によって転送される周期的送信は、一組のＳＲＳ送信であることができる。しかしながら、請求される主題は、それだけに限定されず、あらゆるタイプの周期的アップリンク送信（例えば、周期的ＣＱＩ送信、周期的ＰＵＣＣＨ送信、等）を採用できることが明確に理解されるべきである。従って、ＳＲＳ送信はサウンディング（ｓｏｕｎｄｉｎｇ）信号であることができるため、ＵＬ周期的送信機３０８は、システム帯域幅全体にわたってチャネルをサウンディングするためにアップリンクにおいてＳＲＳ送信を送ることができ、従って、アップリンク周波数選択式スケジューリングを可能にするのと同時に、ＵＬ電力制御に関する閉ループ訂正を計算するためにサウンディング信号を用いることができる。ＵＬ周期的送信機３０８によって送られる送信は、基地局２０２の受信電力モニタ２０４によってチャネルのサンプリングと関係させて受信及び／又は採用することができる。さらに、ＵＬ電力調整器２０６及び／又は周期的訂正器３１０は、該サンプリングに対応するコマンドを生成することができる。
【００４５】
一例により、アクセス端末３０２のＵＬ周期的送信機３０８によって送られるＵＬ送信の周期性は、アクセス端末３０２に関して周期的訂正器３１０によって採用されるＤＬ  ＴＰＣコマンド送信サイクルにリンクさせることができる。従って、異なるＵＬ送信周期性を有するアクセス端末に対して、異種の送信サイクルでＤＬ  ＴＰＣコマンドを送ることができる。さらに、ＵＬ送信の周期性は、特定のアクセス端末（例えば、アクセス端末３０２）に関して採用された周期的訂正器３１０によって生成されたアクセス端末電力調整に関して割り当てられたビット数と相互に関連することができる。例えば、アップリンク電力制御訂正のために割り当てられたビット数とアップリンク周期的送信レート（例えば、ＳＲＳ送信レート、ＰＵＣＣＨ送信レート、等）との間のマッピングは、予め決定することができる。この例により、２００Ｈｚのアップリンク周期的送信レートを１ビットにマッピングすることができ、１００Ｈｚのレートを１ビットにマッピングすることができ、５０Ｈｚのレートを２ビットにマッピングすることができ、２５Ｈｚのレートを２ビットにマッピングすることができ、０Ｈｚのレートをｘ＞２ビットにマッピングすることができる。上例により、アクセス端末における電力調整のために割り当てられたビット数は、アップリンク周期的送信レートが低下するのに応じてより多くなる。０Ｈｚのアップリンク周期的送信レート限度においては（例えば、ＳＲＳ、ＰＵＣＣＨ、等の送信なし）、電力調整はｘ＞２ビットであることができ、これは、必要に応じた閉ループ調整が行われる開ループ送信のケースであることができる。
【００４６】
周期的訂正器３１０は、基地局２０２と関連づけられたＬＴＥ＿ＡＣＴＩＶＥ状態にある実質上すべてのユーザーに対して周期的に訂正を送信することができる。一例により、周期的訂正器３１０がコマンドを送信するユーザーは、例えばＧｏＳ要求事項、ＤＲＸ／ＤＴＸサイクル及びオフセット、等に基づいてグループに分けることができる。ユーザーグループに関する電力制御コマンドの送信は、ＣＰＣＣＨ又はＴＰＣ−ＰＤＣＣＨで表すことができるＰＤＣＣＨの特定のインスタンス化において周期的訂正器３１０によって行うことができる。他の例により、周期的訂正器３１０は、１つのユーザーグループへのインバンドシグナリングを利用することができ、このグループのサイズは、１以上であることができる。周期的訂正と関連するオーバーヘッドは、訂正が要求するビット数及び該当するアクセス端末に情報を搬送するために要求される関連づけられた制御（存在する場合）に基づくことができる。
【００４７】
周期的訂正器３１０によるＰＤＣＣＨにおける送信電力制御（ＴＰＣ）コマンドの転送に関して、３２ビットペイロード及び８ビットＣＲＣを採用することができる。例えば、１ｍｓの間隔における３２の単一ビットＴＰＣコマンドを１つのＰＤＣＣＨインスタントに関して用いることができる。従って、ＦＤＤが採用されると仮定した場合、ＬＴＥ＿ＡＣＴＩＶＥ状態にある３２０のユーザーを各ＴＴＩにおいて単一のＰＤＣＣＨを用いて１００Ｈｚでサポートすることができる。従って、１０ｍｓごとに単一ビット訂正を提供することができ、１００ｄＢ／秒の訂正を可能にする。他の例により、１ｍｓ間隔において１６の二重ビットＴＰＣコマンドを採用することができる。従って、ＦＤＤが採用されると仮定した場合、ＬＴＥ＿ＡＣＴＩＶＥ状態にある３２０のユーザーを各ＴＴＩにおいて単一のＰＤＣＣＨを用いて５０Ｈｚでサポートすることができる。従って、２０ｍｓごとの二重ビット訂正は、１００ｄＢ／秒の訂正を可能にする。
【００４８】
次に図４に関して、ＬＴＥに基づく無線通信環境においてアクセス端末に対して電力制御コマンドを非周期的に転送するシステム４００が示される。システム４００は、アクセス端末３０２（及び／又はあらゆる数の異なるアクセス端末（示されていない））と通信する基地局２０２を含む。基地局２０２は、受信電力モニタ２０４とＵＬ電力調整器２０６とを含み、ＵＬ電力調整器２０６は、非周期的訂正器４０２をさらに含む。さらに、アクセス端末３０２は、ＵＬ電力マネージャ３０４を含み、ＵＬ電力マネージャ３０４は、非周期的コマンド受信機４０４をさらに含む。
【００４９】
非周期的訂正器４０２は、アクセス端末３０２に向けられた電力制御コマンドを必要に応じて生成することができる。例えば、非周期的訂正器４０２は、測定（例えば、受信電力モニタ２０４からのデータを利用して認識された状態、例えば受信電力が設定されたマージン外にある、の測定）によってトリガーされたときに非周期的に送信することができる。非周期的訂正器４０２は、アクセス端末３０２のアップリンク電力レベルが特定の時間に目標から逸脱すると決定することができ、従って、非周期的訂正器４０２は、応答してこの電力レベルを調整するためのコマンドを送ることができる。さらに、非周期的訂正器４０２は、単一ビット訂正（例えば、増／減、±１ｄＢ）及び／又は多ビット訂正（例えば、±１ｄＢ、±２ｄＢ、±３ｄＢ、±４ｄＢ、等）を生成することができる。
【００５０】
非周期的コマンド受信機４０４は、非周期的訂正器４０２（及び／又はＵＬ電力調整器２０６及び／又基地局２０２内の対応するセクター一般）によって送信された訂正を入手することができる。例えば、非周期的コマンド受信機４０４は、基地局２０２内の対応するセクターによって送信された特定の訂正がアクセス端末３０２を対象にしたものであることを解読することができる。さらに、入手された訂正に基づいて、非周期的コマンド受信機４０４及び／又はＵＬ電力マネージャ３０４は、アクセス端末３０２によって採用されたアップリンク電力レベルを変更することができる。
【００５１】
アクセス端末３０２によって採用されて非周期的訂正器４０２によって生成されたアップリンク電力レベルの非周期的訂正は、トリガーに基づくことができる。従って、非周期的訂正は、非周期的訂正がユニキャストの性質を有することに起因して周期的訂正と比較してより大きいオーバーヘッドと関連づけることができる。さらに、多ビット非周期的訂正が採用される例により、これらの訂正は、ＰＤＣＣＨの特定のインスタンス化にマッピングすることができ（例えば、その場合は、電力訂正は、ＤＬ割り当て又はＵＬ許可の一部として送信することができ）又はＰＤＣＣＨ／ＰＤＳＣＨの対の特定のインスタンス化にマッピングすることができ（その場合は、電力訂正は、独立して又はその他のデータ送信とインバンドで送信することができる）。
【００５２】
図５に関して、ＬＴＥに基づく無線通信環境においてプリアンブルに基づくアップリンク電力制御を採用するシステム５００が示される。システム５００は、アクセス端末３０２（及び／又はあらゆる数の異種のアクセス端末）（示されていない）と通信する基地局２０２内のセクターを含む。上述されるように、基地局２０２内の対応するセクターは、受信電力モニタ２０４とＵＬ電力調整器２０６とを含むことができ、ＵＬ電力調整器２０６は、非周期的訂正器４０２をさらに含むことができ、アクセス端末３０２は、ＵＬ電力マネージャ３０４を含むことができ、ＵＬ電力マネージャ３０４は、非周期的コマンド受信機４０４をさらに含むことができる。示されていないが、ＵＬ電力調整器２０６は、非周期的訂正器４０２に加えて又は非周期的訂正器４０２の代わりに図３の周期的訂正器３１０を含むことができ及び／又はアクセス端末３０２は、非周期的コマンド受信機４０４に加えて又は非周期的コマンド受信機４０４の代わりに周期的コマンド受信機を含むことができることが企図される。従って、請求される主題は非周期的コマンド訂正器４０２及び非周期的コマンド受信機４０４を採用する以下の例に限定されないことが企図される。さらに、ＵＬ電力マネージャ３０４は、アップリンクデータ送信前に（例えば、ＰＵＳＣＨ／ＰＵＣＣＨ送信前に）基地局２０２内の対応するセクターにアップリンクを通じて電力制御プリアンブルを送信するプリアンブル生成器５０２を含むこともできる。さらに、ＵＬ電力調整器２０６は、受信された電力制御プリアンブルを解析してアクセス端末３０２によって採用された電力設定を訂正し及びダウンリンクにおいてアクセス端末３０２に電力制御コマンドを送信するプリアンブル評価器５０４を含むことができる。しかしながら、プリアンブル生成器５０２をアクセス端末３０２においてただしＵＬ電力マネージャ３０４と別個に含めることができ及び／又はプリアンブル評価器５０４を基地局２０２内の対応するセクター内に、ただしＵＬ電力調整器２０６と別個に含めることができることが企図される。
【００５３】
アップリンク電力制御は、バースト性の送信によって有意なＳＮＲの分散を生み出す可能性がある。該分散を軽減するために、プリアンブル送信は、電力制御コマンドをアップリンクデータ送信前にアクセス端末３０２に提供するのを可能にすることができ、ここで、アップリンクデータ送信は、ＰＤＣＣＨにおいて送信されたＵＬ許可の直後に開始又は再開することができる。ＵＬ許可を受信した時点で、ＵＬ電力マネージャ３０４は、アップリンク送信を送るための初期電力レベルを設定するための開ループ電力制御を採用することができる。プリアンブル生成器５０２を利用することによって、重要な情報がＰＵＣＣＨ又はＰＵＳＣＨにおいてアップリンクで送られるときに開ループ電力制御と関連づけられた遷移上の影響を軽減することができる。
【００５４】
プリアンブル生成器５０２は、アップリンクにおいて電力制御プリアンブルを送信することができる。電力制御プリアンブルは、単一時間ＳＲＳ送信であることができる。電力制御プリアンブルの該送信は、基地局２０２（及び／又はネットワーク）内の対応するセクターによって明示で又は暗黙にスケジューリングすることができる。プリアンブル生成器５０２によって送られた電力制御プリアンブルは、（例えば、最低アクセス端末送信帯域幅容量を法として）システム帯域幅の一部又は全体にわたるアップリンク送信によってチャネルを高速でサウンディングするのを可能にする。一例により、電力制御プリアンブルを用いてＴＴＩ当たり２つ又は４つのホップを達成することができる。さらに、電力制御プリアンブルは、ＵＬ不活動後に受信されたＵＬ許可後の第１のＰＵＣＣＨ又はＰＵＳＣＨ送信を効率的に閉ループ電力制御することを可能にする。
【００５５】
一例により、（例えば、ダウンリンクデータ活動に起因して）アクセス端末３０２がＬＴＥ＿ＡＣＴＩＶＥ＿ＣＰＣ状態である間にＵＬ許可を入手するときには、ＵＬ電力マネージャ３０４によって決定された、アップリンクにおいて送られる最初の送信の電力は、（例えば閉ループ機構を採用せずに）開ループ電力制御に基づくことができる。初期開ループ設定は、雑音が多い可能性があり、従って、送信電力にとって最適でない可能性がある。しかしながら、アクセス端末３０２の第１のアップリンク送信からの送信電力を訂正することができた時点で、アップリンク送信の信頼性が大幅に向上することができる。
【００５６】
上例に対処するために、プリアンブル生成器５０２は、アクセス端末３０２から基地局２０２内の対応するセクターへの情報送信に先行する電力制御プリアンブルを送信する（例えば、情報は、ＰＵＳＣＨ及び／又はＰＵＣＣＨにおいて送信することができる）。電力制御プリアンブルは、開ループ電力制御機構に従って生成された電力レベルで通信することができる。プリアンブル評価器５０４は、電力制御プリアンブルを入手して審査することで、電力制御プリアンブルによる指示に従ってアクセス端末３０２の電力設定を素早く訂正することができる。例えば、プリアンブル評価器５０４は、アクセス端末３０２のＵＬ電力マネージャ３０４によって利用される電力レベルを調整するための電力制御コマンド（例えば、送信電力制御（ＴＰＣ）コマンド）を生成して送信することができる。電力制御コマンドは、単一ビット訂正及び／又は多ビット訂正であることができる。その後は、ＵＬ電力マネージャ３０４は、基地局２０２内の対応するセクターから入手された電力制御コマンドを実装することができる。さらに、アクセス端末３０２は、その後、電力制御コマンドを受信することに応答してＵＬ電力マネージャ３０４によって設定された訂正された開ループ電力レベルでアップリンク送信（例えば、ＰＵＳＣＨ及び／又はＰＵＣＣＨ送信）を送ることができる。
【００５７】
プリアンブル生成器５０２からの電力制御プリアンブルの送信は、基地局２０２内の対応するセクター（及び／又は基地局２０２のスケジューラ（示されていない））によって明示で又は暗黙にスケジューリングすることができる。一例により、明示のスケジューリングは、アップリンクにおいて電力制御プリアンブルを送る明示の指示をプリアンブル生成器５０２に提供する。この例により、（例えば、ＰＤＣＣＨにおいて）基地局２０２から送信されたＵＬ許可（例えば、第１のＵＬ許可）は、アップリンクにおいて電力制御プリアンブルを送信するためのスケジューリング関連データを提供することができる。従って、ＵＬ許可は、チャネルを効率的にサウンディングすることをプリアンブル生成器５０２に行わせることができる（例えば、電力制御プリアンブルがアップリンクにおいて送信される所定のＴＴＩにおいて２つ又は４つのホップがシステム帯域幅にわたる）。基地局２０２内の対応するセクターによるアップリンク送信の受信及びプリアンブル評価器５０４による解析後、電力訂正が計算されて（例えば、電力が訂正された）ＰＵＣＣＨ／ＰＵＳＣＨ送信に関する新しいＵＬ許可（例えば、第２のＵＬ許可）とともにＰＤＣＣＨにおいて送られる。
【００５８】
他の例により、電力制御プリアンブルの暗黙のスケジューリングを利用することができる。アクセス端末３０２がＬＴＥ＿ＡＣＴＩＶＥ＿ＣＰＣ副状態にあることに基づき、プリアンブル生成器５０２は、電力制御プリアンブルは（例えば、ＰＵＳＣＨ／ＰＵＣＣＨにおける）正規のデータ送信前に送信されるべきであることを推測的に認識することができる。従って、基地局２０２内の対応するセクターは、（例えば、電力制御プリアンブルの明示のスケジューリングに関する場合のように）２つのＵＬ許可を送信する必要がない。むしろ、明示でシグナリングされるＵＬ許可は、次のハイブリッド再送−要求（ＨＡＲＱ）サイクルに関して適用可能であり、変調及びコーディング方式（ＭＣＳ）及び／又は電力制御プリアンブルに関する資源はデフォルトであってアクセス端末３０２及び基地局２０２内の対応するセクターの両方によって既知であることができる（例えば、アクセス端末３０２及び／又は基地局２０２内の対応するセクターのメモリにおいて保持される）。暗黙的スケジューリングを採用時には、プリアンブル生成器５０２は、（明示的スケジューリングに関する場合のように）明示でスケジューリングされた資源の代わりに予め決定された資源において電力制御プリアンブルを転送することができる。
【００５９】
電力制御プリアンブルを利用してＵＬ電力設定を訂正後は、アクセス端末３０２には（例えば基地局２０２によって）物理的アップリンク資源を再度割り当てることができ、従ってＬＴＥ＿ＡＣＴＩＶＥ状態に戻すことができる。ＬＴＥ＿ＡＣＴＩＶＥ状態にある間において、後続する送信は、ここにおいて説明されるように、非周期的訂正器４０２によって生成されてアクセス端末３０２に送信され及び非周期的コマンド受信機４０４（及び／又はＵＬ電力マネージャ３０４）によって実装される訂正に基づくことができる。
【００６０】
次に図６に関して、電力制御コマンドをダウンリンクにおいて送信するためにアクセス端末をグループに分けるシステム６００が示される。システム６００は、アクセス端末１
６０２、アクセス端末２  ６０４、．．．及びアクセス端末Ｎ  ６０６と通信する基地局２０２内の対応するセクターを含み、ここで、Ｎは、あらゆる整数であることができる。各アクセス端末６０２乃至６０６は、各々のＵＬ電力マネージャをさらに含むことができ（例えば、アクセス端末１  ６０２は、ＵＬ電力マネージャ１  ６０８を含み、アクセス端末６０２乃至６０６は、各々のＵＬ電力マネージャをさらに含むことができ（例えば、アクセス端末１  ６０２は、ＵＬ電力マネージャ１  ６０８を含み、アクセス端末２  ６０４は、ＵＬ電力マネージャ２  ６１０を含み、アクセス端末Ｎ  ６０６は、ＵＬ電力マネージャＮ ６１２を含む）。さらに、基地局２０２内の対応するセクターは、受信電力モニタ２０４と、ＵＬ電力調整器２０６と、ダウンリンクにおいて電力制御コマンドを送信するために部分組のアクセス端末６０２乃至６０６を結合して１つのグループにするアクセス端末（ＡＴ）グループ分類器６１４と、を備えることができる。
【００６１】
ＡＴグループ分類器６１４は、アクセス端末６０２乃至６０６を様々な要因の関数としてグループに分けることができる。例えば、ＡＴグループ分類器６１４は、ＤＲＸサイクル及び位相に基づいて１つ以上のアクセス端末６０２乃至６０６をグループに割り当てることができる。他の例により、ＡＴグループ分類器６１４は、アクセス端末６０２乃至６０６によって採用されるアップリンク周期的送信レート（例えば、ＳＲＳ送信レート、ＰＵＣＣＨ送信レート、等）に基づいてアクセス端末６０２乃至６０６をグループに割り当てることができる。部分組のアクセス端末６０２乃至６０６を結合して異種のグループに分けることによって、（例えば、まとめてグループ分けされた複数のアクセス端末に関する電力制御コマンドを共通のメッセージにおいて送ることによって）ＰＤＣＣＨ（又はＣＰＣＣＨ、ＴＰＣ−ＰＤＣＣＨ）におけるＤＬでのＵＬ電力調整器２０６による電力制御コマンドの送信をより効率的に行うことができる。一例として、ＡＴグループ分類器６１４は、周期的アップリンク電力制御に関して利用するためにグループを形成することができるが、請求される主題はそれに限定されない。
【００６２】
一例により、アクセス端末１  ６０２は、ＳＲＳ送信に関して２００Ｈｚの送信レートを採用することができ、アクセス端末２  ６０４は、ＳＲＳ送信に関して５０Ｈｚの送信レートを利用することができ、及びアクセス端末Ｎ  ６０６は、ＳＲＳ送信に関して１００Ｈｚの送信レートを用いることができる。ＡＴグループ分類器６１４は、（例えば、受信電力モニタ２０４、等を介して入手された信号を利用して）これらの各々の送信レートを認識することができる。その後は、ＡＴグループ分類器６１４は、（１００Ｈｚ又は２００Ｈｚ送信レートを採用するその他のアクセス端末とともに）アクセス端末１  ６０２及びアクセス端末Ｎ  ６０６をグループＡに割り当てることができる。ＡＴグループ分類器６１４は、アクセス端末２  ６０４（及び２５Ｈｚ又は５０Ｈｚ送信レートを採用するあらゆる異種のアクセス端末）をグループＢに割り当てることもできる。しかしながら、請求される主題は、上例に限定されないことが明確に理解されるべきである。さらに、ＡＴグループ分類器６１４は、（例えば、ＰＤＣＣＨ又はＣＰＣＣＨにおいて用いるために）グループＩＤを各グループに割り当てることができる。アクセス端末６０２乃至６０６を各々のグループに割り当てた時点で、ＵＬ電力調整器２０６によって送信されるコマンドは、意図される受信アクセス端末と関連づけられた特定のグループに対応するダウンリンク資源を採用することができる。例えば、ＡＴグループ分類器６１４及びＵＬ電力調整器２０６は、各ＰＤＣＣＨ送信において複数のアクセス端末６０２乃至６０６にＴＰＣコマンドを送信するために連携して動作することができる。さらに、各ＵＬ電力マネージャ６０８乃至６１２は、（例えば、対応するグループＩＤに基づいて）向けられたＴＰＣコマンドを入手するためにリッスン（ｌｉｓｔｅｎ）すべき該当するＰＤＣＣＨ送信を認識することができる。
【００６３】
図７に関して、電力制御コマンドをアクセス端末グループに通信するための送信構造例が示される。例えば、送信構造は、ＰＤＣＣＨ送信に関して採用することができる。２つの送信構造例（例えば、送信構造７００及び送信構造７０２）が描かれるが、請求される主題はこれらの例に限定されないことが企図される。送信構造７００及び７０２は、複数のユーザーに関する電力制御コマンドをグループに分けて各ＰＤＣＣＨ送信に入れることによってオーバーヘッドを低下させることができる。示されるように、送信構造７００は、第１のＰＤＣＣＨ送信時点においてグループＡ内のユーザーに関する電力制御コマンドをグループ分けし、第２のＰＤＣＣＨ送信時点においてグループＢ内のユーザーに関する電力制御コマンドをグループ分けする。さらに、第１及び第２の両方のＰＤＣＣＨ送信は、巡回冗長性検査（ＣＲＣ）を含む。さらに、送信構造７０２は、共通のＰＤＣＣＨ送信時点においてグループＡ及びＢ内のユーザーに関する電力制御コマンドを結合する。一例として、送信構造７０２に関して、グループＡ内のユーザーに関する電力制御コマンドを共通ＰＤＣＣＨ送信の第１のセグメント内に含め、グループＢ内のユーザーに関する電力制御コマンドを共通ＰＤＣＣＨ送信の第２のセグメント内に含めることができる。
【００６４】
図８に関して、ＬＴＥに関する周期的アップリンク電力制御手順に関するタイミング図例８００が示される。８０２においては、ＬＴＥ＿ＡＣＴＩＶＥ状態にあるアクセス端末に関する電力制御手順が示される。この状態においては、アクセス端末は、周期的ＳＲＳ送信を基地局に送り、基地局は、周期的ＴＰＣコマンドによって周期的ＳＲＳ送信に応答する。説明される例において示されるように、アクセス端末の送信電力は、ダウンリンクにおいて周期的に送信される単一ＴＰＣビットによって訂正される。周期的ＳＲＳ送信は、周期的ＣＱＩ送信、周期的ＰＵＣＣＨ送信、等に代えることができることが注目されるべきである。周期的ＣＱＩ送信又は周期的ＰＵＣＣＨ送信は、システム帯域全体にわたらないことがあるためチャネルサウンディングの観点からは効率が低下することがある。しかしながら、該送信は、基地局におけるＵＬ測定に基づいた閉ループ訂正に関して利用することができる。
【００６５】
８０４において、アクセス端末に関する不活動期間が描かれる。（例えば、予め決定されるか又はしきい期間を用いた）不活動期間後に、アクセス端末がＬＴＥ＿ＡＣＴＩＶＥ＿ＣＰＣ副状態に移行される。この副状態において、アクセス端末へのＰＨＹ  ＵＬ資源の割り当てが解除され、従って、ＵＬ送信が再開時に閉ループ電力制御を用いることができない場合がある。
【００６６】
８０６において、アクセス端末は、アップリンク送信を再開する。開ループ推定値を用いてアップリンク送信を再開するためにＲＡＣＨが採用される。一例により、開ループ推定値は、最後の送信電力に従って修正することができ、有益であるとみなされる場合は何らかの忘却係数（ｆｏｒｇｅｔｔｉｎｇ  ｆａｃｔｏｒ）が用いられる。アクセス端末によって送られたＲＡＣＨに応答して、基地局は、アクセス端末に関するインバンド電力調整を送信することができる（例えば、ｘビットの電力調整であり、ここでｘは実質上あらゆる整数であることができる）。
【００６７】
８０８において、ＲＡＣＨ手順を通じてアクセス端末のアイデンティティを検証することができる。さらに、８０８においてＰＨＹ  ＵＬ資源再割り当てを（例えば、ＳＲＳコンフィギュレーションとともに）行うことができる。
【００６８】
８１０において、アクセス端末はＬＴＥ＿ＡＣＴＩＶＥ状態にある。従って、アクセス端末は、ＳＲＳの周期的送信を再開する。描かれるように、８１０における周期的ＳＲＳ送信の周期性は、８０２における周期的ＳＲＳ送信の周期性と異なる。しかしながら、請求される主題はそれに限定されない。周期的ＳＲＳ送信に応答して、基地局は、この場合においては２ビット（例えば、±１ｄＢ、±２ｄＢ）を占めるＴＰＣコマンドを送信する。さらに、示されていないが、アクセス端末送信は、アクセス端末において受信電力レベルから決定された開ループ訂正を利用するのを続けることができる。従って、閉ループ訂正は、排他的であること及び／又はアクセス端末において受信電力の変化から決定された開ループ訂正に加えることができる。
【００６９】
次に図９に関して、ＬＴＥに関する非周期的アップリンク電力制御手順に関するタイミング図例９００が示される。ＬＴＥ＿ＡＣＴＩＶＥ状態にあるアクセス端末に関する電力制御手順が示される。タイミング図９００は、周期的アップリンク送信が存在しないことができる。さらに、電力訂正は、ＰＵＳＣＨにおいて受信された電力に基づいて基地局からアクセス端末に送信することができる。基地局は、ＰＵＳＣＨ送信を評価して電力調整を行うべきかどうかを決定する。特定のＰＵＳＣＨ送信の評価時点において電力調整が必要であると基地局によってみなされた場合は基地局がメッセージ（例えば、ＵＬ許可におけるＴＰＣコマンド）をアクセス端末に送信する非周期的電力調整に依存することができる。所定のＰＵＳＣＨ送信に関して特定の時間に該電力調整を行う必要がないと基地局が決定したときには、基地局は、所定のＰＵＳＣＨ送信に応答して該時間にＴＰＣコマンドを送信する必要がない（むしろ、所定のＰＵＳＣＨ送信に応答してＡＣＫを送信することができる）。さらに、所定の時間にＴＰＣコマンドがアクセス端末によって得られかどうかにかかわらず、アクセス端末は、開ループ機構に基づく訂正に常に依存することができる。さらに、基地局によって送信される訂正は、単一ビット及び／又は多ビット訂正であることができる。
【００７０】
ＤＬにおいて必要に応じて訂正を送信できる同様の方式を周期的ＵＬ送信とともに採用できることが明確に理解されるべきである。従って、アクセス端末は、アップリンクにおいてＳＲＳ送信を周期的に送信することができ、基地局はこれらのＳＲＳ送信を評価して実行されるべき電力調整を決定することができる。その後に、特定の時間に電力調整を行う必要があると決定した時点で、基地局は、ダウンリンクにおいてＴＰＣコマンドをアクセス端末に送信することができる（例えば、電力制御コマンドの非周期的ダウンリンク送信）。
【００７１】
図８及び９において描かれるアップリンク電力制御手順は、共通の側面を含む。すなわち、ＵＬデータ送信に関して用いられるΔＰＳＤ（デルタ電力スペクトル密度）の概念を、周期的及び非周期的の両方のアップリンク電力制御に関して採用することができる。ΔＰＳＤは、隣接セルに対する影響を最小にするために所定のユーザーに関して許容される最大送信電力を提供することができる。ΔＰＳＤは、例えば隣接セルからの負荷インジケータ、チャネル状態、等の関数として経時で展開することができる。さらに、ΔＰＳＤは、可能なときに（例えばインバンドで）アクセス端末に報告することができる。ＬＴＥシステムにおいては、ネットワークは、アクセス端末がいずれのＭＣＳ／最大データ対パイロット電力比を送信することが許容されるかを選択することができる。しかしながら、初期ΔＰＳＤは、ＵＬ許可内のＭＣＳに基づくことができる（例えば、ＵＬ許可と初期ΔＰＳＤとの間の関係は、公式に基づくことができる）。さらに、上記の多くは、セル内電力制御に関連する。セル間電力制御（例えば、負荷制御）に関するその他の機構が、ここにおいて説明される機構を補完することができる。
【００７２】
他の例により、周期的及び非周期的アップリンク電力制御手順は、対で動作することができる。この例により、非周期的更新に加えて周期的更新も利用可能である。スケジューリングされたＰＵＳＣＨ送信が存在する場合は、これらの送信は、ＵＬ許可を有する対応するＰＤＣＣＨ送信を要求することができ、従って、電力制御コマンドは、ＰＤＣＣＨにおいてＵＬ許可とともに送信することができる。例えば、（例えばＰＨＹ資源がより高い層によって構成されるためＵＬ許可を要求しない）永続的なＵＬ送信に関してＰＤＣＣＨが利用可能でない場合は、ＴＰＣ−ＰＤＤＣＨ１において電力制御コマンドを送信することができる。さらに、ＤＬにおいてスケジューリングされたＰＤＳＣＨが存在する場合は、ＰＵＣＣＨ（例えば、ＣＱＩ及びＡＣＫ／ＮＡＫ）の電力制御はより重要になる可能性がある。このような場合は、ＰＵＣＣＨに関する電力制御コマンドは、ＤＬ割り当てとともにＰＤＣＣＨにおいて通信することができる。関連する制御がないＤＬ送信の場合又はＤＬデータ活動がない場合に関しては、ＴＰＣ−ＤＰＣＣＨ２における周期的送信を用いてＰＵＣＣＨを電力制御することができる。従って、利用可能な資源を利用しながら必要なときに（例えば、非周期的に）電力制御コマンドを送信することができる（例えば、ＰＵＳＣＨに関するＵＬ許可を有するＰＤＣＣＨ、ＰＵＣＣＨに関するＤＬ割り当てを有するＰＤＣＣＨ、ＰＵＣＣＨ及び永続的にスケジューリングされるＰＵＳＣＨに関して適切であることができるＴＰＣ−ＰＤＣＣＨにおける周期的ＴＰＣコマンド）。
【００７３】
次に図１０に関して、電力制御プリアンブルを利用するＬＴＥに関するアップリンク電力制御手順に関するタイミング図例１０００が示される。タイミング図１０００は、基地局（又はネットワーク）からの明示で又は暗黙にスケジューリングされた電力プリアンブルの送信に依存する。１００２において、ＵＬ許可を基地局（又はネットワーク）からアクセス端末に送信することができる。ＵＬ許可は、ＰＤＣＣＨ送信によって転送することができる。１００４において、アクセス端末は、電力制御（ＰＣ）プリアンブルを基地局に送信する。電力制御プリアンブルは、開ループ電力制御機構に基づいて決定された電力レベルで送信することができる。１００６において、基地局内の対応するセクターは、受信された電力制御プリアンブルから収集されたアクセス端末の電力設定を訂正することができる。基地局内の対応するセクターは、電力制御コマンド（例えば、ＴＰＣ）をアクセス端末に送信することができる。電力制御コマンドは、単一ビットコマンド及び／又は多ビットコマンドであることができる。明示のスケジューリングを採用時には、電力制御コマンドは、アクセス端末がデータを送信するためのＵＬ許可とともに、基地局内の対応するセクターによって送信することができる。他の例により、暗黙のスケジューリングを利用時には、電力制御コマンドはＵＬ許可とともに送信する必要がない。むしろ、１００２において送信されたＵＬ許可を、アップリンクにおいてデータを送信するためにアクセス端末によって利用することができる。１００８において、アクセス端末は、アップリンクにおいて基地局にデータを送信することができる。データは、訂正された電力設定（例えば、開ループ電力制御を介して決定されて受信された電力制御コマンドに基づいて調整された電力レベル）でアクセス端末によって送信することができる。例えば、データは、ＰＵＳＣＨ送信及び／又はＰＵＣＣＨ送信として送信することができる。その後は、描かれていないが、ここにおいて説明される正規の閉ループ電力制御技法を、アクセス端末がＬＴＥ＿ＡＣＴＩＶＥ状態にとどまりながら実装することができる。
【００７４】
図１１及び１２に関して、ＬＴＥに基づく無線通信環境において周期的訂正、非周期的訂正又は周期的訂正と非周期的訂正の組み合わせを介してアップリンク電力を制御することと連携して電力制御プリアンブルを利用することに関連する方法が示される。説明を単純化することを目的として、これらの方法は一連の行為として示されて説明される一方で、幾つかの行為は、１つ以上の実施形態により、ここにおいて示されて説明される順序と異なる順序で及びその他の行為と同時並行して生じることができるため、これらの方法は行為の順序によって限定されないことが理解及び評価されるべきである。例えば、方法は例えば状態図内におけるように一連の相互に関連する状態又はイベントとして代替で表すことが可能であることを当業者は理解及び評価するであろう。さらに、１つ以上の実施形態に従って方法を実装するためにすべての例示される行為が要求されるわけではない。  
図１１に関して、ロング・ターム・エボリューション（ＬＴＥ）に基づく無線通信環境において電力制御ともに利用するために電力制御プリアンブルを生成するのを容易にする方法１１００が示される。１１０２において、基地局内の対応するセクターからアップリンク許可を受信することができる。アップリンク許可は、物理ダウンリンク制御チャネル（ＰＤＣＣＨ）送信を介して通信することができる。例えば、アップリンク許可は、アクセス端末がＬＴＥ＿ＡＣＴＩＶＥ＿ＣＰＣ状態にある間に受信することができる。他の例により、１１０２において受信されるアップリンク許可は、アップリンク不活動後に入手される第１のアップリンク許可であることができる。１１０４において、電力制御プリアンブルは、開ループ電力制御に基づいた電力設定で基地局内の対応するセクターに送信することができる。電力制御プリアンブルは、（例えば、最低アクセス端末送信帯域幅能力を法とする）システム帯域幅の一部又は全体にわたってチャネルを素早くサウンディングするアップリンク送信であることができる。例えば、電力制御プリアンブルは、単一時間サウンディング基準信号（ＳＲＳ）送信であることができる。他の例として、電力制御プリアンブルは、アップリンクデータチャネルにおける非周期的チャネル品質インジケータ（ＣＱＩ）報告であることができる。電力制御プリアンブルは、所定の送信時間間隔（ＴＴＩ）においてシステム帯域幅にわたる２つ又は４つのホッピングを採用することが可能である。さらに、電力制御プリアンブルは、物理アップリンク共有チャネル（ＰＵＳＣＨ）及び／又は物理アップリンク制御チャネル（ＰＵＣＣＨ）におけるアップリンクデータ送信に先行するアップリンク送信であることができる。さらに、閉ループ電力制御はＬＴＥ＿ＱＡＣＴＩＶＥ状態になる前のアクセス端末では利用できないため、電力制御プリアンブルを送信するために利用される電力設定は、開ループ電力制御に基づくことができる。さらに、電力制御プリアンブル送信のスケジューリングは、明示又は暗黙であることができる。明示のスケジューリングが採用される（例えば、送信特性を明示で示すことができる）例により、１１０２において受信されたアップリンク許可は、電力制御プリアンブルの送信のために資源を割り当てる、利用されるべき変調及び／又はコーディングを指定する、等を行うことができる。暗黙のスケジューリングが利用される（例えば、送信特性を暗黙に示すことができる）例により、予め決定された資源、変調、コーディング、等を電力制御プリアンブルの送信のために利用することができ、従って、アクセス端末は、該情報が１１０２において受信されたアップリンク許可内に明示で含められない形でこれらの予め決定された資源、変調、コーディング、等をアップリンクにおける電力制御プリアンブルの送信のために利用することができる。
【００７５】
１１０６において、電力制御コマンドは、基地局内の対応するセクターから受信することができる。電力制御コマンドは、アップリンク送信のために利用されるアクセス端末の電力設定を調整することができる。例えば、電力制御コマンドは、単一ビット訂正及び／又は多ビット訂正であることができる。従って、アクセス端末は、受信された電力制御コマンドに従って電力設定を修正することができる。さらに、電力設定を訂正するために電力制御プリアンブルが利用された後に、物理的アップリンク資源をアクセス端末に再度割り当てることができ、アクセス端末は、ＬＴＥ＿ＡＣＴＩＶＥ状態に移行することができる。さらに、明示のスケジューリングが採用された場合は、第２のアップリンク許可を電力制御コマンドとともに受信することができ、第２のアップリンク許可は、次のアップリンクデータ送信を送るために利用することができる。代替として、暗黙のスケジューリングが利用される場合は、電力制御コマンドは、第２のアップリンク許可が伴う必要がなく、１１０２において受信されたアップリンク許可を次のアップリンクデータ送信のために用いることができる（例えば、該場合におけるアップリンク許可は、次のハイブリッド自動再送−要求（ＨＡＲＱ）サイクルに関して適用可能である）。
【００７６】
１１０８において、データは、調整された電力設定で基地局に送信することができる。電力設定に関する開ループ推定値は、電力制御コマンドの一部として提供される訂正によって修正することができ、この調整された電力設定においてデータ送信を実行することができる。データ送信は、明示のスケジューリングが採用された場合は電力制御コマンドとともに入手された第２のアップリンク許可又は暗黙のスケジューリングが利用される場合は１１０２において受信されたアップリンク許可に応答することができる。データ送信は、物理アップリンク共有チャネル（ＰＵＳＣＨ）送信及び／又は物理アップリンク共有チャネル（ＰＵＣＣＨ）送信であることができる。さらなる例により、データ送信は、一組の周期的送信（例えば、ＳＲＳ送信、ＣＱＩ送信、ＰＵＣＣＨ送信、等）に関連することができる。
【００７７】
さらに、電力制御コマンドは、１１０８におけるデータ送信に引き続いて受信することができる。電力制御コマンドは、トリガー条件が発生した時点でダウンリンクにおいて送信することができる。電力制御コマンドは、単一ビットコマンド及び／又は多ビットコマンドであることができる。さらに、電力制御コマンドは、物理ダウンリンク制御チャネル（ＰＤＣＣＨ）又はＰＤＣＣＨ／ＰＤＳＣＨ（物理ダウンリンク共有チャネル）の対を介して入手することができる。さらに、電力制御コマンドは、独立した送信として又は基地局内の対応するセクターから送信されたその他のデータとインバンドで受信することができる。１１０８におけるデータ送信に関して利用される電力設定は、その後に、電力制御コマンドに基づいて変更することができる。さらに、電力制御コマンドが入手されないときには、電力設定の該変更は行う必要がない。他の例により、電力制御コマンドが電力設定を調整するために受信されて利用されるかどうかにかかわらず、電力設定を変更するために開ループ電力制御機構を採用することができる。さらなる例として、データは、あらゆる種類の電力制御コマンド、例えば周期的及び／又は非周期的、によって変更された電力設定でアップリンクにおいて送信することができる。
【００７８】
次に図１２に関して、ロング・ターム・エボリューション（ＬＴＥ）に基づく無線通信環境において電力制御とともに採用するために電力制御プリアンブルを評価するのを容易にする方法１２００が示される。１２０２において、アップリンク許可をアクセス端末に送信することができる。アップリンク許可は、アクセス端末がＬＴＥ＿ＡＣＴＩＶＥ＿ＣＰＣ状態にある間に送信することができる。さらに、アップリンク許可は、ＰＤＣＣＨにおいて送信することができる。一例により、アップリンク許可は、アクセス端末からの電力制御プリアンブルの転送を明示でスケジューリングすることができる（例えば、送信特性を明示で示すことができる）。従って、この例に従い、アクセス端末は、電力制御プリアンブルの送信に関して採用される資源、変調、コーディング、等を割り当てることができる。他の例として、予め決定された資源、変調、コーディング、等は、電力制御プリアンブルの送信のためにアクセス端末によって利用することができ（例えば、暗黙のスケジューリングにおいては、送信特性を暗黙に示すことができ）、１２０２において送信されたアップリンク許可は、次のハイブリッド自動再送−要求（ＨＡＲＱ）サイクルと関連づけられたアクセス端末によって送られるアップリンクデータ送信に関して適用可能である。
【００７９】
１２０４において、電力制御プリアンブルを受信することができる。電力制御プリアンブルは、開ループ電力制御に基づいて設定された電力レベルでアクセス端末から送信することができる。さらに、電力制御プリアンブルを転送するためにアクセス端末によって利用される電力レベルは、受信された電力制御プリアンブルから収集することができる。電力制御プリアンブルは、（例えば、最低アクセス端末送信帯域幅能力を法とする）システム帯域幅の一部又は全体にわたってチャネルを素早くサウンディングするアップリンク送信であることができる。例えば、電力制御プリアンブルは、所定の送信時間間隔（ＴＴＩ）においてシステム帯域幅にわたる２つ又は４つのホッピングを採用することが可能である。例えば、電力制御プリアンブルは、単一時間サウンディング基準信号（ＳＲＳ）送信であることができる。他の例として、電力制御プリアンブルは、アップリンクデータチャネルにおける非周期的チャネル品質インジケータ（ＣＱＩ）報告であることができる。
【００８０】
１２０６において、電力制御コマンドは、電力制御プリアンブルの解析に基づいて生成することができ、電力制御コマンドは、アクセス端末の電力レベルを訂正することができる。一例として、電力制御コマンドは、アクセス端末によって採用される電力レベルの単一ビット訂正及び／又は多ビット訂正であることができる。１２０８において、電力制御コマンドをアクセス端末に送信することができる。明示のスケジューリングが採用されるときは、第２のアップリンク許可を電力制御コマンドとともに送信することができ、第２のアップリンク許可は、次のアップリンクデータ送信を送るためにアクセス端末によって利用することができる。代替として、暗黙のスケジューリングが利用されるときは、電力制御コマンドは、第２のアップリンク許可が伴う必要がなく、１２０２において送信されたアップリンク許可を、次のアップリンクデータ送信を送るためにアクセス端末によって用いることができる。さらに、電力制御プリアンブルが電力レベルを訂正するために用いられた後は、物理的アップリンク資源をアクセス端末に再度割り当てることができ、アクセス端末は、ＬＴＥ＿ＡＣＴＩＶＥ状態に移行することができる。１２１０において、訂正された電力レベルでアクセス端末から送られたアップリンクデータ送信を受信することができる。データ送信は、物理アップリンク共有チャネル（ＰＵＳＣＨ）送信及び／又は物理アップリンク制御チャネル（ＰＵＣＣＨ）送信であることができる。さらなる例により、データ送信は、一組の周期的送信（例えば、ＳＲＳ送信、ＣＱＩ送信、ＰＵＣＣＨ送信、等）に関連することができる。
【００８１】
１２１０においてアップリンクデータ送信を受信した時点で、アップリンクデータ送信を送るときにアクセス端末によって採用された電力レベルを調整すべきかどうかに関する決定を行うことができる。一例により、電力レベルを目標と比較することができ、その差がしきい値を超える場合は、調整をトリガーすることができる。その差がしきい値未満である場合は、その時点では調整を行う必要がない。さらに、アクセス端末の電力レベルの調整量を決定することができる。電力レベルを調整すべきであることを決定したときには、測定（例えば、受信された電力レベルが設定されたマージン外にある）によってトリガーされたときに電力レベルを変更するために非周期的電力制御コマンドをアクセス端末に送信することができる。このように、非周期的電力制御コマンドは、必要に応じて送信することができる。非周期的電力制御コマンドは、単一ビット訂正（例えば、増/減、±１ｄＢ、．．．）及び／又は多ビット訂正（例えば、±１ｄＢ、±２ｄＢ、±３ｄＢ、±４ｄＢ、．．．）であることができる。さらに、非周期的電力制御コマンドは、物理ダウンリンク制御チャネル（ＰＤＣＣＨ）又はＰＤＣＣＨ／ＰＤＳＣＨ（物理ダウンリンク共有チャネル）対の特定のインスタンス化にマッピングすることができる。さらに、非周期的電力制御コマンドは、独立して又はその他のデータ送信とインバンドで送信することができる。さらに、例えば、非周期的電力制御コマンドは、ユニキャスト送信を介して送信することができる。
【００８２】
ここにおいて説明される１つ以上の側面により、非周期的電力制御とともに電力制御プリアンブルを採用することに関する推論を行うことができることが明確に理解されるべきである。ここにおいて用いられる“推論する”又は“推論”という表現は、一般的には、システム、環境、及び／又はユーザーの状態をイベント及び／又はデータを介して取得された一組の観察事項から推量するか又は推論するプロセスを指す。推論は、特定の状況又は行動を識別するために採用することができるか、又は例えば状態に関する確率分布を生成することができる。推論は、確率論的、すなわち、データ及びイベントの考慮に基づいた対象状態に関する確率分布の計算であることができる。推論は、より高いレベルのイベントを一組のイベント及び／又はデータから組み立てるために採用される技法を指すこともできる。該推論の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータ源からのものであるかどうかを問わない。
【００８３】
一例により、上記の１つ以上の方法は、アップリンク電力制御プリアンブル送信の明示のスケジューリング及び／又は暗黙のスケジューリングを利用するかどうかを認識することに関する推論を行うことを含むことができる。さらなる例により、電力制御プリアンブルのアップリンク送信に関して採用されるべき資源を識別することに関連する推論を行うことができる。上例は例示的な性質を有すること及び行うことができる推論数又は該推論がここにおいて説明される様々な実施形態及び／又は方法と関係させて行われる方法を限定することは意図されないことが明確に理解されるべきである。
【００８４】
図１３は、ＬＴＥに基づく無線通信システムにおいて電力制御とともに電力制御プリアンブルを利用するのを容易にするアクセス端末１３００を示す。アクセス端末１３００は、例えば受信アンテナ（示されていない）から信号を受信する受信機１３０２を備え、受信された信号に対して典型的動作（例えば、フィルタリング、増幅、ダウンコンバージョン、等）を行い、コンディショニングされた信号をデジタル化してサンプルを入手する。受信機１３０２は、例えばＭＭＳＥ受信機であることができ、及び、受信されたシンボルを復調してこれらのシンボルをチャネル推定のためにプロセッサ１３０６に提供することができる復調器１３０４を備えることができる。プロセッサ１３０６は、受信機１３０２によって受信された情報を解析すること及び／又は送信機１３１６による送信に関する情報を生成することを専用とするプロセッサ、アクセス端末１３００の１つ以上の構成要素を制御するプロセッサ、及び／又は情報１３０２によって受信された情報を解析し、送信機１３１６による送信のための情報を生成し、及びアクセス端末１３００の１つ以上の構成要素を制御するプロセッサであることができる。
【００８５】
アクセス端末１３００は、プロセッサ１３０６に動作可能な形で結合され及び送信されるべきデータ、受信されたデータ、アクセス端末１３００に割り当てられた識別子、入手された電力制御コマンドに関連する情報、及び電力制御コマンドを実装すべきかどうかを選択するためのその他の適切な情報を格納することができるメモリ１３０８をさらに備えることができる。メモリ１３０８は、アップリンクにおいて送信するために電力制御プリアンブルを生成すること及び／又は開ループ機構に基づいて送信のための電力レベルを推定することと関連づけられたプロトコル及び／又はアルゴリズムをさらに格納することができる。
【００８６】
ここにおいて説明されるデータ記憶装置（例えば、メモリ１３０８）は、揮発性メモリ又は非揮発性メモリであることができ、又は揮発性及び非揮発性の両メモリを含むことができることが明確に理解されるべきである。一例として、及び制限することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、又はフラッシュメモリを含むことができる。揮発性メモリは、外部キャッシュメモリとして動作するランダムアクセスメモリ（ＲＡＭ）を含むことができる。一例として及び制限することなしに、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）、等の数多くの形態で利用可能である。主題のシステム及び方法のメモリ１３０８は、制限されることなしに、これらの及びその他の適切な型のメモリを備えることが意図される。
【００８７】
受信機１３０２は、アップリンクを介して送信するためにアクセス端末１３００によって利用される電力レベルを制御するＵＬ電力マネージャ１３１０に動作可能な形でさらに結合される。ＵＬ電力マネージャ１３１０は、あらゆる型のアップリンクチャネルを介してデータ、制御信号、等を送信するためのアップリンク電力レベルを設定することができる。ＵＬ電力マネージャ１３１０は、アップリンク電力レベルを選択するための開ループ機構を採用することができる。さらに、受信機１３０２によって得られた電力制御コマンドは、アップリンク電力レベルを調整するためにＵＬ電力マネージャ１３１０によって利用することができる。さらに、ＵＬ電力マネージャ１３１０及び／又は受信機１３０２は、（例えば、開ループ機構に基づいてＵＬ電力マネージャ１３１０によって決定された）特定の電力レベルでアップリンクにおいて送信するための電力制御プリアンブルを生成するプリアンブル生成器１３１２に結合することができる。プリアンブル生成器１３１２によって生成された電力制御プリアンブルは、無線通信環境の帯域幅にわたるアップリンク送信を有するアップリンクチャネルを素早くサウンディングするために送信することができる。さらに、電力制御コマンドは、電力制御プリアンブルに応答して基地局から受信することができ、電力制御コマンドは、電力制御プリアンブルに関して利用される電力レベルの開ループ推定値を調整するためにＵＬ電力マネージャ１３１０によって利用することができる。アクセス端末１３００は、変調器１３１４と、例えば基地局、他のアクセス端末、等に信号を送信する送信機１３１６と、をさらに備える。ＵＬ電力マネージャ１３１０、プリアンブル生成器１３１２及び／又は変調器１３１４は、プロセッサ１３０６とは別個に描かれているが、プロセッサ１３０６又は幾つかのプロセッサ（示されていない）の一部であることができることが明確に理解されるべきである。
【００８８】
図１４は、ＬＴＥに基づく無線通信環境において電力制御とともに用いるために電力制御プリアンブルを解析するのを容易にするシステム１４００を示す。システム１４００は、複数の受信アンテナ１４０６を通じて１つ以上のアクセス端末１４０４から信号を受信する受信機１４１０、及び送信アンテナ１４０８を通じて１つ以上のアクセス端末１４０４に送信する送信機１４２２を有する基地局１４０２内のセクター（例えば、アクセスポイント、ｅＮＢ、等）を備える。受信機１４１０は、受信アンテナ１４０６から情報を受信することができ、受信された情報を復調する復調器１４１２と動作可能な形で関連づけられる。復調されたシンボルは、図１３に関して上述されるプロセッサと類似であることができ及びアクセス端末識別子（例えば、ＭＡＣＩＤ）に関連する情報、アクセス端末（又は異種の基地局（示されていない））に送信されるべき又はアクセス端末１４０４（又は異種の基地局（示されていない））から受信されるべきデータ（例えば、電力制御コマンド、アップリンク許可、等）、及び／又はここにおいて説明される様々な動作及び機能を実行することに関連するその他の適切な情報を格納するメモリ１４１６に結合されるプロセッサ１４１４によって解析される。プロセッサ１４１４は、基地局１４０２において得られた信号に基づいてアクセス端末１４０４によって採用されるアップリンク電力レベルを評価する受信電力モニタ１４１８にさらに結合される。例えば、受信電力モニタ１４１８は、ＰＵＳＣＨ送信からのアップリンク電力レベルを解析することができる。他の例により、受信電力モニタ１４１８は、周期的アップリンク送信からのアップリンク電力レベルを評価することができる。
【００８９】
受信電力モニタ１４１８は、アクセス端末１４０４から基地局１４０２によって入手された電力制御プリアンブルを解析するプリアンブル評価器１４２０に動作可能な形で結合することができる。プリアンブル評価器１４２０は、電力制御プリアンブルの発生元であるアクセス端末によって利用される電力レベルをさらに訂正する。従って、プリアンブル評価器１４２０は、アクセス端末電力レベルを調整するために送信される電力制御コマンドを生成する。プリアンブル評価器１４２０は、変調器１４２２に動作可能な形でさらに結合することができる。変調器１４２２は、送信機１４２６によってアンテナ１４０８を通じてアクセス端末１４０４に送信するために電力制御コマンドを多重化することができる。受信電力モニタ１４１８、プリアンブル評価器１４２０及び／又は変調器１４２２は、プロセッサ１４１４とは別個に描かれているが、プロセッサ１４１４又は幾つかのプロセッサ（示されていない）の一部であることができることが理解されるべきである。
【００９０】
図１５は、無線通信システム例１５００を示す。無線通信システム１５００は、説明を簡潔にすることを目的として、１つの基地局１５１０内のセクター及び１つのアクセス端末１５５０を描く。しかしながら、システム１５００は、２つ以上の基地局及び／又は２つ以上のアクセス端末を含むことができ、追加の基地局及び／又はアクセス端末は、後述される基地局例１５１０及びアクセス端末１５５０と実質的に同様であるか又は異なることができることが明確に理解されるべきである。さらに、基地局１５１０及び／又はアクセス端末１５５０は、それらの間における無線通信を容易にするためにここにおいて説明されるシステム（図１乃至６、１３及び１４、及び１６及び１７）及び／又は方法（図１１及び１２）を採用できることが明確に理解されるべきである。
【００９１】
基地局１５１０において、幾つかのデータストリームに関するトラフィックデータがデータ源１５１２から送信（ＴＸ）データプロセッサ１５１４に提供される。一例により、各データストリームは、各々のアンテナを通じて送信することができる。ＴＸデータプロセッサ１５１４は、コーディングされたデータを提供するためにトラフィックデータストリームに関して選択された特定のコーディング方式に基づいてそのデータストリームをフォーマット化、コーディング、及びインターリービングする。
【００９２】
各データストリームに関するコーディングされたデータは、直交周波数分割多重化（ＯＦＤＭ）技法を用いてパイロットデータと多重化することができる。さらに加えて又は代替で、パイロットシンボルは、周波数分割多重化（ＦＤＭ）、時分割多重化（ＴＤＭ）、又は符号分割多重化（ＣＤＭ）することができる。パイロットデータは、典型的には、既知の方法で処理される既知のデータパターンであり、チャネル応答を推定するためにアクセス端末１５５０において用いることができる。各データストリームに関する多重化されたパイロット及びコーディングされたデータは、変調シンボルを提供するためにそのデータストリームに関して選択された特定の変調方式（例えば、二位相偏移変調（ＢＰＳＫ）、四位相偏移変調（ＱＰＳＫ）、Ｍ位相偏移変調（Ｍ−ＰＳＫ）、Ｍ−直交振幅変調（Ｍ−ＱＡＭ）、等）に基づいて変調する（例えば、シンボルマッピングする）ことができる。各データストリームに関するデータレート、コーディング、及び変調は、プロセッサ１５３０によって実行又は提供される命令によって決定することができる。
【００９３】
データストリームに関する変調シンボルは、ＴＸ  ＭＩＭＯプロセッサ１５２０に提供することができ、ＴＸ  ＭＩＭＯプロセッサ１５２０は、（例えば、ＯＦＤＭに関する）変調シンボルをさらに処理することができる。次に、ＴＸ  ＭＩＭＯプロセッサ１５２０は、ＮＴの変調シンボルストリームをＮＴの送信機（ＴＭＴＲ）１５２２ａ乃至１５２２ｔに提供する。様々な実施形態においては、ＴＸ  ＭＩＭＯプロセッサ１５２０は、データストリームのシンボルに対して及びシンボルを送信中であるアンテナに対してビーム形成重みを適用する。
【００９４】
各送信機１５２２は、各々のシンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルで送信するのに適する変調された信号を提供する。さらに、送信機１５２２ａ乃至１５２２ｔからのＮＴの変調された信号がＮＴのアンテナ１５２４ａ乃至１５２４ｔからそれぞれ送信される。
【００９５】
アクセス端末１５５０において、送信された変調された信号がＮＲのアンテナ１５５２ａ乃至１５５２ｒによって受信され、各アンテナ１５５２からの受信された信号は、各々の受信機（ＲＣＶＲ）１５５４ａ乃至１５５４ｒに提供される。各受信機１５５４は、各々の信号をコンディショニング（例えば、フィルタリング、増幅、及びダウンコンバージョン）し、コンディショニングされた信号をデジタル化してサンプルを提供し、これらのサンプルをさらに処理して対応する“受信された”シンボルストリームを提供する。
【００９６】
ＲＸデータプロセッサ１５６０は、特定の受信機処理技法に基づいてＮＲの受信機１５５４からのＮＲの受信されたシンボルストリームを受け取り及び処理してＮＴの“検出された”シンボルストリームを提供する。ＲＸデータプロセッサ１５６０は、各検出されたシンボルストリームを復調、デインターリービング、及び復号してデータストリームに関するトラフィックデータを復元する。ＲＸデータプロセッサ１５６０による処理は、基地局１５１０におけるＴＸ  ＭＩＭＯプロセッサ１５２０及びＴＸデータプロセッサ１５１４によって行われる処理を補完するものである。
【００９７】
プロセッサ１５７０は、上述されるようにいずれの利用可能な技術を利用すべきかを周期的に決定することができる。さらに、プロセッサ１５７０は、行列インデックス部分と順位値部分とを備える逆方向リンクメッセージを作成することができる。
【００９８】
逆方向リンクメッセージは、通信リンク及び／又は受信されたデータストリームに関する様々なタイプの情報を備えることができる。逆方向リンクメッセージは、幾つかのデータストリームに関するトラフィックデータもデータ源１５３６から受け取るＴＸデータプロセッサ１５３８によって処理し、変調器１５８０によって変調し、送信機１５５４ａ乃至１５５４ｒによってコンディショニングし、基地局に送信して戻すことができる。
【００９９】
基地局１５１０において、アクセス端末１５５０からの変調された信号は、アンテナ１５２４によって受信され、受信機１５２２によってコンディショニングされ、復調器１５４０によって復調され、ＲＸデータプロセッサ１５４２によって処理され、アクセス端末１５５０によって送信された逆方向リンクメッセージが抽出される。さらに、プロセッサ１５３０は、抽出されたメッセージを処理し、いずれのプリコーディング行列をビーム形成重みの決定のために用いるべきかを決定することができる。
【０１００】
プロセッサ１５３０及び１５７０は、基地局１５１０及びアクセス端末１５５０における動作を指示（例えば、制御、調整、管理）することができる。各々のプロセッサ１５３０及び１５７０は、プログラムコード及びデータを格納するメモリ１５３２及び１５７２と関連づけることができる。プロセッサ１５３０及び１５７０は、アップリンク及びダウンリンクに関する周波数及びインパルス応答推定値を導き出すための計算をそれぞれ行うこともできる。
【０１０１】
ここにおいて説明される実施形態は、ハードウェア、ソフトウェア、ファームウェア、ミドルウェア、マイクロコード、又はそのいずれかの組み合わせにおいて実装できることが理解されるべきである。ハードウェアにおいて実装する場合は、処理ユニットは、ここにおいて説明される機能を果たすように設計された１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、プログラマブルロジックアレイ（ＦＰＧＡ）、プロセッサ、コントローラ、マイクロコントローラ、マイクロプロセッサ、その他の電子ユニット、又はその組み合わせ内に実装することができる。
【０１０２】
これらの実施形態がソフトウェア、ファームウェア、ミドルウェア、マイクロコード、プログラムコード又はコードセグメントにおいて実装されるときには、機械によって読み取り可能な媒体、例えば記憶構成要素、に格納することができる。コードセグメントは、手順、関数、サブプログラム、プログラム、ルーチン、サブルーチン、モジュール、ソフトウェアパッケージ、クラス、又は命令、データ構造、又はプログラム文の組み合わせを表すことができる。コードセグメントは、情報、データ、引数、パラメータ、又はメモリ内容を渡す及び／又は受け取ることによって他のコードセグメント又はハードウェア回路と結合させることができる。情報、引数、パラメータ、データ、等は、メモリを共有する、メッセージを渡す、トークンを渡す、ネットワーク送信、等を含むあらゆる適切な手段を用いて渡す、転送する、又は送信することができる。
【０１０３】
ソフトウェア内に実装する場合は、ここにおいて説明される技法は、ここにおいて説明される機能を果たすモジュール（例えば、手順、関数、等）とともに実装することができる。ソフトウェアコードは、メモリユニットに格納してプロセッサによって実行することができる。メモリユニットは、プロセッサ内に又はプロセッサの外部に実装することができ、プロセッサの外部に実装する場合は、当業において知られる様々な手段を通じて通信可能な形でプロセッサに結合させることが可能である。
【０１０４】
図１６に関して、無線通信環境においてアクセス端末によって利用するために電力制御プリアンブルに基づいて電力制御コマンドを生成するのを可能にするシステム１６００が示される。例えば、システム１６００は、少なくとも部分的には基地局のセクター内に常駐することができる。システム１６００は、プロセッサ、ソフトウェア、又はその組合せ（例えばファームウェア）によって実装される機能を表す機能ブロックであることができる機能ブロックを含むものとして表されることが明確に理解されるべきである。システム１６００は、連携して動作することができる電気的構成要素から成る論理グループ１６０２を含む。例えば、論理グループ１６０２は、ダウンリンクにおいてアップリンク許可を送信するための電気的構成要素１６０４を含むことができる。さらに、論理グループ１６０２は、開ループ電力推定値から決定された電力レベルで送信される電力制御プリアンブルを入手するための電気的構成要素１６０６を含むことができる。さらに、論理グループ１６０２は、電力レベルを訂正する電力制御コマンドを送信するための電気的構成要素１６０８を含むことができる。論理グループ１６０２は、訂正された電力レベルでのアップリンクデータ送信を得るための電気的構成要素１６１０を含むこともできる。さらに、システム１６００は、電気的構成要素１６０４、１６０６、１６０８、及び１６１０と関連づけられた機能を実行するための命令を保持するメモリ１６１２を含むことができる。電気的構成要素１６０４、１６０６、１６０８、及び１６１０は、メモリ１６１２の外部の電気的構成要素として示されている一方で、該電気的構成要素のうちの１つ以上がメモリ１６１２内に存在できることが理解されるべきである。
【０１０５】
図１７に関して、無線通信環境において電力制御プリアンブルを利用するのを可能にするシステム１７００が示される。システム１７００は、例えばアクセス端末内に常駐することができる。描かれるように、システム１７００は、プロセッサ、ソフトウェア、又はその組み合わせ（例えば、ファームウェア）によって実装される機能を表すことができる機能ブロックを含む。システム１７００は、連携して動作することができる電気的構成要素から成る論理グループ１７０２を含む。論理グループ１７０２は、アップリンク許可１７０４を入手するための電気的構成要素を含むことができる。さらに、論理グループ１７０２は、開ループ電力推定値の関数として選択された電力レベルでアップリンク電力制御プリアンブルを転送するための電気的構成要素１７０６を備えることができる。さらに、論理グループ１７０２は、電力レベルを変更する電力制御コマンドを入手するための電気的構成要素１７０８を含むことができる。論理グループ１７０２は、変更された電力レベルでアップリンクデータを送信するための電気的構成要素１７１０を含むこともできる。さらに、システム１７００は、電気的構成要素１７０４、１７０６、１７０８、及び１７１０と関連づけられた機能を実行するための命令を保持するメモリ１７１２を含むことができる。電気的構成要素１７０４、１７０６、１７０８、及び１７１０は、メモリ１７１２の外部の電気的構成要素として示されている一方で、該電気的構成要素はメモリ１７１２内に存在できることが理解されるべきである。
【０１０６】
上述されていることは、１つ以上の実施形態の例を含む。当然のことであるが、上記の実施形態を説明することを目的として構成要素又は方法の考えられるあらゆる組み合わせを説明することは可能ではないが、様々な実施形態のさらに数多くの組み合わせ及び置換が可能であることを当業者は認識することができる。従って、説明される実施形態は、添付された請求項の精神又は適用範囲内にあるあらゆる変更、修正及び変形を包含することが意図されている。さらに、発明を実施するための形態又は請求項の範囲において“含む”という表現が用いられている限りにおいて、該表現は、“備える”という表現が請求項において移行語として採用されたときの解釈と同様の包含性を有することが意図されている。
【図１】
2018137768.tif 000003
【図２】
2018137768.tif 000004
【図３】
2018137768.tif 000005
【図４】
2018137768.tif 000006
【図５】
2018137768.tif 000007
【図６】
2018137768.tif 000008
【図７】
2018137768.tif 000009
【図８】
2018137768.tif 000010
【図９】
2018137768.tif 000011
【図１０】
2018137768.tif 000012
【図１１】
2018137768.tif 000013
【図１２】
2018137768.tif 000014
【図１３】
2018137768.tif 000015
【図１４】
2018137768.tif 000016
【図１５】
2018137768.tif 000017
【図１６】
2018137768.tif 000018
【図１７】
2018137768.tif 000019
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
無線通信環境において電力制御とともに採用するために電力制御プリアンブルを評価するのを容易にする方法であって、
アクセス端末にアップリンク許可を送信することと、
開ループ電力制御に基づいて設定された電力レベルで前記アクセス端末から送られた電力制御プリアンブルを受信することと、ここにおいて、前記電力制御プリアンブルは、サウンディング基準信号（ＳＲＳ）送信を備える、
前記電力制御プリアンブルの解析に基づいて電力制御コマンドを生成することと、ここにおいて、前記電力制御コマンドは、前記アクセス端末の前記電力レベルを訂正する、
前記アクセス端末に前記電力制御コマンドを送信することと、
前記訂正された電力レベルで前記アクセス端末から送られたアップリンクデータ送信を受信することと
を備える、方法。
【請求項２】
前記ＳＲＳ送信は、単一時間ＳＲＳ送信である、請求項１に記載の方法。
【請求項３】
前記アクセス端末からの前記電力制御プリアンブルの送信を明示にスケジュールすることをさらに備える、請求項１に記載の方法。
【請求項４】
前記電力制御プリアンブルを送信するときの前記アクセス端末による使用のために明示に指定された情報とともに前記アップリンク許可を送信することと、
前記電力制御コマンドと同時並行して第２のアップリンク許可を送信することと、
前記電力制御コマンドと同時並行して送信された前記第２のアップリンク許可に応答して送られる前記アップリンクデータ送信を受信することと
をさらに備える、請求項３に記載の方法。
【請求項５】
前記アクセス端末からの前記電力制御プリアンブルの送信を暗黙にスケジュールすることをさらに備える、請求項１に記載の方法。
【請求項６】
前記アップリンク許可の送信前に前記アクセス端末および基地局のために定義された、予め決定された情報を利用して、前記アップリンク許可に応答して前記アクセス端末から送られた前記電力制御プリアンブルを受信することと、
前記電力制御コマンドの送信前に送られた前記アップリンク許可を利用することによって、前記アクセス端末から送られた前記アップリンクデータ送信を受信することと
をさらに備える、請求項５に記載の方法。
【請求項７】
無線通信装置であって、
アップリンク許可を転送することと、開ループ電力制御機構によって決定された電力レベルでアップリンクを介して送られる電力制御プリアンブルを入手することと、ここにおいて、前記電力制御プリアンブルは、サウンディング基準信号（ＳＲＳ）送信を備える、前記電力制御プリアンブルの評価に基づいて前記電力レベルを訂正する電力制御コマンドを生成することと、ダウンリンクを介して前記電力制御コマンドを送ることと、前記訂正された電力レベルで送られたアップリンクデータ送信を入手することとに関連する命令を保持するメモリと、
前記メモリに結合され、前記メモリ内に保持される前記命令を実行するように構成されたプロセッサと、
を備える、無線通信装置。
【請求項８】
前記ＳＲＳ送信は、単一時間ＳＲＳ送信である、請求項７に記載の無線通信装置。
【請求項９】
前記メモリは、前記電力制御プリアンブルの送信を明示にスケジュールすることに関連する命令をさらに保持する、請求項７に記載の無線通信装置。
【請求項１０】
前記メモリは、前記電力制御プリアンブルを送信するときのアクセス端末による使用のために明示に指定された情報とともに前記アップリンク許可を転送することと、前記ダウンリンクを介して前記電力制御コマンドと同時並行して第２のアップリンク許可を送ることと、前記電力制御コマンドと同時並行して送られた前記第２のアップリンク許可に応答して送られる前記アップリンクデータ送信を入手することとに関連する命令をさらに保持する、請求項９に記載の無線通信装置。
【請求項１１】
前記メモリは、前記電力制御プリアンブルの送信を暗黙にスケジュールすることに関連する命令をさらに保持する、請求項７に記載の無線通信装置。
【請求項１２】
前記メモリは、前記アップリンク許可の転送前にアクセス端末および基地局のために定義された、予め決定された情報を利用して、前記アップリンク許可に応答して送られた前記電力制御プリアンブルを入手することと、前記電力制御コマンドの送信前に転送された前記アップリンク許可を利用することによって送られた前記アップリンクデータ送信を入手することとに関連する命令をさらに保持する、請求項１１に記載の無線通信装置。
【請求項１３】
無線通信環境においてアクセス端末による利用のために電力制御プリアンブルに基づいて電力制御コマンドを生成するのを可能にする無線通信装置であって、
ダウンリンクにおいてアップリンク許可を送るための手段と、
開ループ推定値から決定された電力レベルでアクセス端末から送られる電力制御プリアンブルを入手するための手段と、ここにおいて、前記電力制御プリアンブルは、サウンディング基準信号（ＳＲＳ）送信を備える、
前記アクセス端末の前記電力レベルを訂正する電力制御コマンドを送るための手段と、ここにおいて、前記電力制御コマンドは、前記電力制御プリアンブルの解析に基づいて生成される、
前記訂正された電力レベルでアップリンクデータ送信を入手するための手段と、
を備える、無線通信装置。
【請求項１４】
前記ＳＲＳ送信は、単一時間ＳＲＳ送信である、請求項１３に記載の無線通信装置。
【請求項１５】
明示に前記電力制御プリアンブルの送信をスケジュールするための手段をさらに備える、請求項１３に記載の無線通信装置。
【請求項１６】
前記電力制御プリアンブルを送るときのアクセス端末による利用のために明示に指定された情報とともに前記アップリンク許可を送るための手段と、
前記ダウンリンクを介して前記電力制御コマンドと同時に第２のアップリンク許可を送るための手段と、
前記第２のアップリンク許可に応答して送られる前記アップリンクデータ送信を入手するための手段と
をさらに備える、請求項１５に記載の無線通信装置。
【請求項１７】
暗黙に前記電力制御プリアンブルの送信をスケジュールするための手段をさらに備える、請求項１３に記載の無線通信装置。
【請求項１８】
前記アップリンク許可を送る前にアクセス端末および基地局のために示された、予め決定された情報を利用して、前記アップリンク許可に応答して送られた前記電力制御プリアンブルを入手するための手段と、
前記電力制御コマンドの送信前に転送された、前記アップリンク許可を利用することによって送られた前記アップリンクデータ送信を入手するための手段と
をさらに備える、請求項１７に記載の無線通信装置。
【請求項１９】
機械によって読み取り可能な媒体であって、
ダウンリンクにおいてアップリンク許可を送ることと、
開ループ推定値から決定された電力レベルでアクセス端末から送られる電力制御プリアンブルを入手することと、ここにおいて、前記電力制御プリアンブルは、サウンディング基準信号（ＳＲＳ）送信を備える、
前記電力レベルを訂正する電力制御コマンドを送ることと、ここにおいて、前記電力制御コマンドは、前記電力制御プリアンブルの解析に基づいて生成される、
前記訂正された電力レベルでアップリンクデータ送信を入手することと、
を行うための機械によって実行可能な命令を格納している、機械によって読み取り可能な媒体。
【請求項２０】
前記ＳＲＳ送信は、単一時間ＳＲＳ送信である、請求項１９に記載の機械によって読み取り可能な媒体。
【請求項２１】
前記機械によって実行可能な命令は、明示的な方法で前記電力制御プリアンブルの送信をスケジュールすることをさらに備える、請求項１９に記載の機械によって読み取り可能な媒体。
【請求項２２】
前記機械によって実行可能な命令は、前記電力制御プリアンブルを送るときのアクセス端末による利用のために明示に指定された情報とともに前記アップリンク許可を送ることと、前記ダウンリンクを介して前記電力制御コマンドと同時に第２のアップリンク許可を送ることと、前記第２のアップリンク許可に応答して送られる前記アップリンクデータ送信を入手することとをさらに備える、請求項２１に記載の機械によって読み取り可能な媒体。
【請求項２３】
前記機械によって実行可能な命令は、暗黙に前記電力制御プリアンブルの送信をスケジュールすることをさらに備える、請求項１９に記載の機械によって読み取り可能な媒体。
【請求項２４】
前記機械によって実行可能な命令は、前記アップリンク許可を送る前にアクセス端末および基地局のために示された、予め決定された情報を利用して、前記アップリンク許可に応答して送られた前記電力制御プリアンブルを入手することと、前記電力制御コマンドの送信前に転送された前記アップリンク許可を利用することによって送られた前記アップリンクデータ送信を入手することとをさらに備える、請求項２３に記載の機械によって読み取り可能な媒体。
【手続補正２】
【補正対象書類名】明細書
【補正対象項目名】００４１
【補正方法】変更
【補正の内容】
【００４１】
図３に関して、アクセス端末によって採用されたアップリンク電力レベルを周期的に訂正するシステム３００が示される。システム３００は、アクセス端末３０２（及び／又はあらゆる数の異種のアクセス端末（示されていない））と通信する基地局２０２を含む。アクセス端末３０２は、ＵＬ電力マネージャ３０４を備え、ＵＬ電力マネージャ３０４は、ＵＬ電力初期設定器３０６をさらに含む。さらに、アクセス端末３０２は、ＵＬ周期的送信機３０８を含む。基地局２０２は、受信電力モニタ２０４と、ＵＬ電力調整器２０６と、をさらに含み、ＵＬ電力調整器２０６は、周期的訂正器３１０をさらに備える。
【手続補正３】
【補正対象書類名】明細書
【補正対象項目名】０１０６
【補正方法】変更
【補正の内容】
【０１０６】
上述されていることは、１つ以上の実施形態の例を含む。当然のことであるが、上記の実施形態を説明することを目的として構成要素又は方法の考えられるあらゆる組み合わせを説明することは可能ではないが、様々な実施形態のさらに数多くの組み合わせ及び置換が可能であることを当業者は認識することができる。従って、説明される実施形態は、添付された請求項の精神又は適用範囲内にあるあらゆる変更、修正及び変形を包含することが意図されている。さらに、発明を実施するための形態又は請求項の範囲において“含む”という表現が用いられている限りにおいて、該表現は、“備える”という表現が請求項において移行語として採用されたときの解釈と同様の包含性を有することが意図されている。
以下に本願の出願当初の特許請求の範囲に記載された発明を付記する。
［Ｃ１］
無線通信環境において利用するために電力制御プリアンブルを生成するのを容易にする方法であって、
基地局からアップリンク許可を受信することであって、前記アップリンク許可は、アップリンク不活動後における第１のアップリンク許可であることと、
開ループ電力制御に基づく電力設定で前記基地局に電力制御プリアンブルを送信することと、
前記基地局から電力制御コマンドを受信することであって、前記電力制御コマンドは、前記電力設定を調整することと、
前記調整された電力設定で前記基地局にデータを送信すること、とを備える、方法。
［Ｃ２］
前記電力制御プリアンブルは、所定の送信時間間隔（ＴＴＩ）においてホップを採用することによってシステム帯域幅の一部又は全体においてチャネルをサウンディングするアップリンク送信であるＣ１に記載の方法。
［Ｃ３］
前記電力制御プリアンブルは、単一時間サウンディング基準信号（ＳＲＳ）送信であるＣ１に記載の方法。
［Ｃ４］
前記電力制御プリアンブルは、アップリンクデータチャネルにおける非周期的チャネル品質インジケータ（ＣＱＩ）報告であるＣ１に記載の方法。
［Ｃ５］
前記電力制御プリアンブルの送信特性が明示で示されるＣ１に記載の方法。
［Ｃ６］
前記アップリンク許可において明示で指定される資源、変調、又はコーディングのうちの少なくとも１つを利用して前記アップリンク許可に応答して前記電力制御プリアンブルを送信することと、
前記電力制御コマンドとともに前記基地局から第２のアップリンク許可を受信することと、
前記電力制御コマンドとともに受信された前記第２のアップリンク許可を利用することによって前記基地局に前記データを送信すること、とをさらに備えるＣ５に記載の方法。
［Ｃ７］
前記電力制御プリアンブルの送信特性が暗黙に示されるＣ１に記載の方法。
［Ｃ８］
予め決められた資源、予め決められた変調、又は予め決められたコーディングのうちの少なくとも１つを利用して前記アップリンク許可に応答して前記電力制御プリアンブルを送信することであって、前記予め決められた資源、前記予め決められた変調又は前記予め決められたコーディングのうちの前記少なくとも１つは、前記アップリンク許可の受信前にアクセス端末及び前記基地局に説明されることと、
前記電力制御コマンドの受信前に受信された前記アップリンク許可を利用することによって前記基地局に前記データを送信すること、とをさらに備えるＣ７に記載の方法。
［Ｃ９］
前記データ送信に応答して電力制御コマンドを受信することをさらに備えるＣ１に記載の方法。
［Ｃ１０］
無線通信装置であって、
基地局からアップリンク許可を入手することであって、前記アップリンク許可はアップリンク不活動後における第１のアップリンク許可であること、開ループ評価に基づいて電力制御プリアンブル送信に関する電力レベルを決定すること、前記電力レベルで前記基地局に電力制御プリアンブルを送信すること、前記基地局から電力制御コマンドを受信すること、前記電力制御コマンドに基づいて前記電力レベルを変更すること、及び前記電力制御コマンドに従って変更されている電力レベルで前記基地局にアップリンクデータ送信を送ることに関連する命令を保持するメモリと、
前記メモリに結合され、前記メモリ内に保持される前記命令を実行するように構成されたプロセッサと、を備える、無線通信装置。
［Ｃ１１］
前記電力制御プリアンブルは、所定の送信時間間隔（ＴＴＩ）においてホップを採用することによってシステム帯域幅の一部又は全体においてチャネルをサウンディングするアップリンク送信であるＣ１０に記載の無線通信装置。
［Ｃ１２］
前記電力制御プリアンブルは、単一時間サウンディング基準信号（ＳＲＳ）送信であるＣ１０に記載の無線通信装置。
［Ｃ１３］
前記電力制御プリアンブルは、アップリンクデータチャネルにおける非周期的チャネル品質インジケータ（ＣＱＩ）報告であるＣ１０に記載の無線通信装置。
［Ｃ１４］
前記電力制御プリアンブルの送信特性が明示で示されるＣ１０に記載の無線通信装置。
［Ｃ１５］
前記メモリは、前記アップリンク許可において明示で指定される情報を利用して前記アップリンク許可に応答して前記電力制御プリアンブルを送信すること、前記電力制御コマンドとともに前記基地局から第２のアップリンク許可を入手すること、及び前記電力制御コマンドと同時並行して入手された前記第２のアップリンク許可を利用することによって前記アップリンクデータ送信を送ることに関連する命令をさらに保持するＣ１４に記載の無線通信装置。
［Ｃ１６］
前記電力制御プリアンブルの送信特性が暗黙に示されるＣ１０に記載の無線通信装置。
［Ｃ１７］
前記メモリは、前記アップリンク許可を入手する前にアクセス端末及び前記基地局に関して予め設定された予め決められた情報を利用して前記アップリンク許可に応答して前記電力制御プリアンブルを送信すること、及び前記電力制御コマンドを入手する前に受信された前記アップリンク許可を利用することによって前記アップリンクデータ送信を送ることに関連する命令をさらに保持するＣ１６に記載の無線通信装置。
［Ｃ１８］
前記メモリは、前記アップリンクデータ送信に応答して電力制御コマンドを入手することに関連する命令をさらに保持するＣ１０に記載の無線通信装置。
［Ｃ１９］
無線通信環境において電力制御プリアンブルを利用するのを可能にする無線通信装置であって、
アップリンク許可を入手するための手段であって、前記アップリンク許可はアップリンク不活動後における第１のアップリンク許可である手段と、
開ループ電力制御推定値の関数として選択された電力レベルでアップリンク電力制御プリアンブルを転送するための手段と、
前記電力レベルを変更する電力制御コマンドを入手するための手段と、
前記変更された電力レベルでアップリンクデータを送信するための手段と、を備える、無線通信装置。
［Ｃ２０］
前記アップリンク電力制御プリアンブルは、チャネルをサウンディングし及び所定の送信時間間隔（ＴＴＩ）においてホップを採用することによってシステム帯域幅の一部又は全体にわたるアップリンク送信であるＣ１９に記載の無線通信装置。
［Ｃ２１］
前記アップリンク電力制御プリアンブルは、単一時間サウンディング基準信号（ＳＲＳ）送信であるＣ１９に記載の無線通信装置。
［Ｃ２２］
前記アップリンク電力制御プリアンブルは、アップリンクデータチャネルにおける非周期的チャネル品質インジケータ（ＣＱＩ）報告であるＣ１９に記載の無線通信装置。
［Ｃ２３］
前記アップリンク電力制御プリアンブルの転送が明示でスケジューリングされているときに前記アップリンク許可とともに明示で含められている情報を採用することによって前記アップリンク許可に応答して前記アップリンク電力制御プリアンブルを転送するための手段と、
前記電力制御コマンドと同時並行して第２のアップリンク許可を入手するための手段と、
前記電力制御コマンドと同時並行して入手された前記第２のアップリンク許可に応答して前記アップリンクデータを送信するための手段と、をさらに備えるＣ１９に記載の無線通信装置。
［Ｃ２４］
前記アップリンク電力制御プリアンブルの転送が暗黙にスケジューリングされているときに前記アップリンク許可を入手する前にアクセス端末及び前記基地局によって推測的に知られている予め決められた情報を利用して前記アップリンク許可に応答して前記アップリンク電力制御プリアンブルを転送するための手段と、
前記電力制御コマンドを入手する前に受信された前記アップリンク許可を利用することによって前記アップリンクデータを送信するための手段と、をさらに備えるＣ１９に記載の無線通信装置。
［Ｃ２５］
前記アップリンクデータ送信に応答して電力制御コマンドを入手するための手段をさらに備えるＣ１９に記載の無線通信装置。
［Ｃ２６］
機械によって読み取り可能な媒体であって、
アップリンク許可を入手し、
開ループ電力制御推定値の関数として選択された電力レベルでアップリンク電力制御プリアンブルを転送し、
前記電力レベルを変更する電力制御コマンドを入手し、及び
前記変更された電力レベルでアップリンクデータを送信するための機械によって実行可能な命令であって、前記アップリンク許可は、アップリンク不活動後における第１のアップリンク許可である命令、を格納している、機械によって読み取り可能な媒体。
［Ｃ２７］
前記アップリンク電力制御プリアンブルは、チャネルをサウンディングし及び所定の送信時間間隔（ＴＴＩ）においてホップを採用することによってシステム帯域幅の一部又は全体にわたるアップリンク送信であるＣ２６に記載の機械によって読み取り可能な媒体。
［Ｃ２８］
前記アップリンク電力制御プリアンブルは、単一時間サウンディング基準信号（ＳＲＳ）送信であるＣ２６に記載の機械によって読み取り可能な媒体。
［Ｃ２９］
前記アップリンク電力制御プリアンブルは、アップリンクデータチャネルにおける非周期的チャネル品質インジケータ（ＣＱＩ）報告であるＣ２６に記載の機械によって読み取り可能な媒体。
［Ｃ３０］
前記機械によって実行可能な命令は、前記アップリンク電力制御プリアンブルの転送が明示でスケジューリングされているときに前記アップリンク許可とともに明示で含められている情報を採用することによって前記アップリンク許可に応答して前記アップリンク電力制御プリアンブルを転送することと、前記電力制御コマンドと同時並行して第２のアップリンク許可を入手することと、前記電力制御コマンドと同時並行して入手された前記第２のアップリンク許可に応答して前記アップリンクデータを送信すること、とをさらに備えるＣ２６に記載の機械によって読み取り可能な媒体。
［Ｃ３１］
前記機械によって実行可能な命令は、前記アップリンク電力制御プリアンブルの転送が暗黙にスケジューリングされているときに前記アップリンク許可を入手する前にアクセス端末及び前記基地局によって推測的に知られている予め決められた情報を利用して前記アップリンク許可に応答して前記アップリンク電力制御プリアンブルを転送することと、前記電力制御コマンドを入手する前に受信された前記アップリンク許可を利用することによって前記アップリンクデータを送信すること、とをさらに備えるＣ２６に記載の機械によって読み取り可能な媒体。
［Ｃ３２］
前記機械によって実行可能な命令は、前記アップリンクデータ送信に応答して電力制御コマンドを入手することをさらに備えるＣ２６に記載の機械によって読み取り可能な媒体。
［Ｃ３３］
無線通信システムにおいて、
基地局からアップリンク許可を入手し、
開ループ評価に基づいて電力制御プリアンブル送信に関する電力レベルを決定し、
前記電力レベルで前記基地局に電力制御プリアンブルを送信し、
前記基地局から電力制御コマンドを受信し、
前記電力制御コマンドに基づいて前記電力レベルを変更し、及び
前記変更された電力レベルで前記基地局にアップリンクデータ送信を送るように構成されたプロセッサであって、前記アップリンク許可は、アップリンク不活動後における第１のアップリンク許可であるプロセッサ、を備える装置。
［Ｃ３４］
無線通信環境において電力制御とともに採用するために電力制御プリアンブルを評価するのを容易にする方法であって、
アクセス端末にアップリンク許可を送信することと、
開ループ電力制御に基づいて設定された電力レベルで前記アクセス端末から送信された電力制御プリアンブルを受信することと、
前記電力制御プリアンブルの解析に基づいて電力制御コマンドを生成することであって、前記電力制御コマンドは、前記アクセス端末の前記電力レベルを訂正することと、
前記電力制御コマンドを前記アクセス端末に送信することと、
前記訂正された電力レベルで前記アクセス端末から送られたアップリンクデータ送信を受信すること、とを備える、方法。
［Ｃ３５］
前記電力制御プリアンブルは、チャネルをサウンディングし及び所定の送信時間間隔（ＴＴＩ）においてホップを採用することによってシステム帯域幅の一部又は全体にわたるアップリンク送信であるＣ３４に記載の方法。
［Ｃ３６］
前記電力制御プリアンブルは、単一時間サウンディング基準信号（ＳＲＳ）送信であるＣ３４に記載の方法。
［Ｃ３７］
前記電力制御プリアンブルは、アップリンクデータチャネルにおける非周期的チャネル品質インジケータ（ＣＱＩ）報告であるＣ３４に記載の方法。
［Ｃ３８］
前記アクセス端末からの前記電力制御プリアンブルの送信を明示でスケジューリングすることをさらに備えるＣ３４に記載の方法。
［Ｃ３９］
前記電力制御プリアンブルを送信時に前記アクセス端末によって用いるために明示で指定された情報とともに前記アップリンク許可を送信することと、
前記電力制御コマンドと同時並行して第２のアップリンク許可を送信することと、
前記電力制御コマンドと同時並行して送信された前記第２のアップリンク許可に応答して送られた前記アップリンクデータ送信を受信すること、とをさらに備えるＣ３８に記載の方法。
［Ｃ４０］
前記アクセス端末からの前記電力制御プリアンブルの送信を暗黙にスケジューリングすることをさらに備えるＣ３４に記載の方法。
［Ｃ４１］
前記アップリンク許可の送信前に前記アクセス端末及び基地局に関して定義された予め決められた情報を利用して前記アップリンク許可に応答して前記アクセス端末から送信された前記電力制御プリアンブルを受信することと、
前記電力制御コマンドの送信前に送信された前記アップリンク許可を利用することによって前記アクセス端末から送られた前記アップリンクデータ送信を受信すること、とをさらに備えるＣ４０に記載の方法。
［Ｃ４２］
トリガー条件の発生時に前記アップリンクデータ送信に応答して電力制御コマンドを送信することをさらに備えるＣ３４に記載の方法。
［Ｃ４３］
無線通信装置であって、
アップリンク許可を転送すること、開ループ電力機構によって決定された電力レベルでアップリンクを介して送信された電力制御プリアンブルを入手すること、前記電力制御プリアンブルの評価に基づいて前記電力レベルを訂正する電力制御コマンドを生成すること、ダウンリンクを介して前記電力制御コマンドを送信すること、及び前記訂正された電力レベルで送られたアップリンクデータ送信を入手することに関連する命令を保持するメモリと、
前記メモリに結合され、前記メモリ内に保持される前記命令を実行するように構成されたプロセッサと、を備える、無線通信装置。
［Ｃ４４］
前記電力制御プリアンブルは、チャネルをサウンディングし及び所定の送信時間間隔（ＴＴＩ）においてホップを採用することによってシステム帯域幅の一部又は全体にわたるアップリンク送信であるＣ４３に記載の無線通信装置。
［Ｃ４５］
前記電力制御プリアンブルは、単一時間サウンディング基準信号（ＳＲＳ）送信であるＣ４３に記載の無線通信装置。
［Ｃ４６］
前記電力制御プリアンブルは、アップリンクデータチャネルにおける非周期的チャネル品質インジケータ（ＣＱＩ）報告であるＣ４３に記載の無線通信装置。
［Ｃ４７］
前記メモリは、前記電力制御プリアンブルの送信を明示でスケジューリングすることに関連する命令をさらに保持するＣ４３に記載の無線通信装置。
［Ｃ４８］
前記メモリは、前記電力制御プリアンブルを送信時にアクセス端末によって用いるために明示で指定された情報とともに前記アップリンク許可を転送すること、前記ダウンリンクを介して前記電力制御コマンドと同時並行して第２のアップリンク許可を送信すること、及び前記電力制御コマンドと同時並行して送信された前記第２のアップリンク許可に応答して送られた前記アップリンクデータ送信を入手することに関連する命令をさらに保持するＣ４７に記載の無線通信装置。
［Ｃ４９］
前記メモリは、前記電力制御プリアンブルの送信を暗黙にスケジューリングすることに関連する命令をさらに保持するＣ４３に記載の無線通信装置。
［Ｃ５０］
前記メモリは、前記アップリンク許可の転送前にアクセス端末及び基地局に関して定義された予め決められた情報を利用して前記アップリンク許可に応答して送信された前記電力制御プリアンブルを入手すること、及び前記電力制御コマンドの送信前に転送された前記アップリンク許可を利用することによって送られた前記アップリンクデータ送信を入手することに関連する命令をさらに保持するＣ４９に記載の無線通信装置。
［Ｃ５１］
前記メモリは、トリガー条件の発生時に前記アップリンクデータ送信に応答して電力制御コマンドを転送することに関連する命令をさらに保持するＣ４３に記載の無線通信装置。
［Ｃ５２］
無線通信環境においてアクセス端末によって利用するために電力制御プリアンブルに基づいて電力制御コマンドを生成するのを可能にする無線通信装置であって、
ダウンリンクにおいてアップリンク許可を送信するための手段と、
開ループ推定値から決定された電力レベルで送信された電力制御プリアンブルを入手するための手段と、
前記電力レベルを訂正する電力制御コマンドを送信するための手段と、
前記訂正された電力レベルでアップリンクデータ送信を入手するための手段と、を備える、無線通信装置。
［Ｃ５３］
前記電力制御プリアンブルは、チャネルをサウンディングし及び所定の送信時間間隔（ＴＴＩ）においてホップを採用することによってシステム帯域幅全体の一部にわたるアップリンク送信であるＣ５２に記載の無線通信装置。
［Ｃ５４］
前記電力制御プリアンブルは、単一時間サウンディング基準信号（ＳＲＳ）送信であるＣ５２に記載の無線通信装置。
［Ｃ５５］
前記電力制御プリアンブルは、アップリンクデータチャネルにおける非周期的チャネル品質インジケータ（ＣＱＩ）報告であるＣ５２に記載の無線通信装置。
［Ｃ５６］
前記電力制御プリアンブルの送信を明示でスケジューリングするための手段と、
前記電力制御プリアンブルを送信時にアクセス端末によって利用するために明示で指定された情報とともに前記アップリンク許可を送信するための手段と、
前記ダウンリンクを介して前記電力制御コマンドと同時並行して第２のアップリンク許可を送信するための手段と、    
前記第２のアップリンク許可に応答して送られた前記アップリンクデータ送信を入手するための手段と、をさらに備えるＣ５２に記載の無線通信装置。
［Ｃ５７］
前記電力制御プリアンブルの送信を暗黙にスケジューリングするための手段と、
前記アップリンク許可を送信する前にアクセス端末及び基地局に関して説明された予め決められた情報を利用して前記アップリンク許可に応答して送信された前記電力制御プリアンブルを入手するための手段と、
前記電力制御コマンドの送信前に転送された前記アップリンク許可を利用することによって送られた前記アップリンクデータ送信を入手するための手段と、をさらに備えるＣ５２に記載の無線通信装置。
［Ｃ５８］
トリガー条件の発生時に前記アップリンクデータ送信に応答して電力制御コマンドを転送するための手段をさらに備えるＣ５２に記載の無線通信装置。
［Ｃ５９］
機械によって読み取り可能な媒体であって、
ダウンリンクにおいてアップリンク許可を送信し、
開ループ推定値から決定された電力レベルで送信された電力制御プリアンブルを入手し、
前記電力レベルを訂正する電力制御コマンドを送信し、及び
前記訂正された電力レベルでアップリンクデータ送信を入手するための機械によって実行可能な命令を格納している、機械によって読み取り可能な媒体。
［Ｃ６０］
前記電力制御プリアンブルは、チャネルをサウンディングし及び所定の送信時間間隔（ＴＴＩ）においてホップを採用することによってシステム帯域幅の一部又は全体にわたるアップリンク送信であるＣ５９に記載の機械によって読み取り可能な媒体。
［Ｃ６１］
前記電力制御プリアンブルは、単一時間サウンディング基準信号（ＳＲＳ）送信であるＣ５９に記載の機械によって読み取り可能な媒体。
［Ｃ６２］
前記電力制御プリアンブルは、アップリンクデータチャネルにおける非周期的チャネル品質インジケータ（ＣＱＩ）報告であるＣ５９に記載の機械によって読み取り可能な媒体。
［Ｃ６３］
前記機械によって実行可能な命令は、前記電力制御プリアンブルの送信を明示でスケジューリングすることと、前記電力制御プリアンブルを送信時にアクセス端末によって利用するために明示で指定された情報とともに前記アップリンク許可を送信することと、前記ダウンリンクを介して前記電力制御コマンドと同時並行して第２のアップリンク許可を送信することと、前記第２のアップリンク許可に応答して送られた前記アップリンクデータ送信を入手すること、とをさらに備えるＣ５９に記載の機械によって読み取り可能な媒体。
［Ｃ６４］
前記機械によって実行可能な命令は、前記電力制御プリアンブルの送信を暗黙にスケジューリングすることと、前記アップリンク許可を送信する前にアクセス端末及び基地局に関して説明された予め決められた情報を利用して前記アップリンク許可に応答して送信された前記電力制御プリアンブルを入手することと、前記電力制御コマンドの送信前に転送された前記アップリンク許可を利用することによって送られた前記アップリンクデータ送信を入手すること、とをさらに備えるＣ５９に記載の機械によって読み取り可能な媒体。
［Ｃ６５］
トリガー条件の発生時に前記アップリンクデータ送信に応答して電力制御コマンドを転送することをさらに備えるＣ５９に記載の機械によって読み取り可能な媒体。
［Ｃ６６］
無線通信システムにおいて、
アクセス端末にアップリンク許可を送信し、
開ループ電力制御に基づいて設定された電力レベルで前記アクセス端末から送信された電力制御プリアンブルを受信し、
前記電力制御プリアンブルの解析に基づいて電力制御コマンドを生成し、  
前記電力制御コマンドを前記アクセス端末に送信し、及び
前記訂正された電力レベルで前記アクセス端末から送られたアップリンクデータ送信を受信するように構成されたプロセッサであって、前記電力制御コマンドは、前記アクセス端末の前記電力レベルを訂正するプロセッサ、を備える装置。
【外国語明細書】
2018137768000001.pdf